(57)【特許請求の範囲】
【請求項１】
物体側から像側へ順に、
フォーカシングの際に固定され、全体として正の屈折力を有する第１レンズ群と、
前記フォーカシングの際に光軸方向に移動し、全体として負の屈折力を有する第２レンズ群と、
前記フォーカシングの際に前記光軸方向において固定され、前記第２レンズ群よりも前記像側に位置し、全体として正又は負の屈折力を有する第３レンズ群と、を有し、
前記第１レンズ群よりも前記像側に開口絞りが配置されており、
前記第１レンズ群は、前記物体側から前記像側へ順に、第１部分レンズ群、第２部分レンズ群、および、第３部分レンズ群からなり、
前記第１部分レンズ群は、２つの正レンズ成分からなり、
前記第２部分レンズ群は、少なくとも１つの正レンズと１つの負レンズとが接合されて負の合成屈折力を有する１つの接合レンズ、または、負の合成屈折力を有する１つの正レンズと１つの負レンズとからなり、
前記第３部分レンズ群は、前記第２部分レンズ群と前記第２レンズ群との間に位置し、全体として正の屈折力を有し、
無限遠にフォーカスしているときの全系の焦点距離をｆ、前記第１レンズ群の焦点距離をｆ１、前記第１部分レンズ群の焦点距離をｆ１Ａ、前記第２部分レンズ群の焦点距離をｆ１Ｂ、前記第３部分レンズ群の焦点距離をｆ１Ｃ、無限遠にフォーカスしているときの前記第１レンズ群と前記第２レンズ群との合成焦点距離をｆ１２、前記第１レンズ群の最も物体側に位置するレンズの物体側面頂点から前記第１レンズ群の最も像側に位置するレンズの像側面頂点までの光軸上の距離をｄ１、前記第１部分レンズ群と前記第２部分レンズ群との間隔をｄ１ＡＢ、光学系の最も物体側の面頂点から像面までの長さをＬ、無限遠物体にフォーカシングした場合の開放ＦナンバーをＦｎｏとするとき、
−３．００＜ｆ１Ｂ／ｆ１＜−０．２０
０．５０＜ｆ１Ｃ／ｆ１＜２．５０
０．４０＜ｆ１Ａ／ｆ１Ｃ＜２．５０
０．２０＜ｆ１２／ｆ＜３．００
０．１０＜ｄ１ＡＢ／ｄ１＜０．８０
０．２０＜ｆ１×Ｌ×Ｆｎｏ／ｆ２＜１．３０
なる条件式を満足することを特徴とする光学系。
【請求項２】
物体側から像側へ順に、
フォーカシングの際に固定され、全体として正の屈折力を有する第１レンズ群と、
前記フォーカシングの際に光軸方向に移動し、全体として負の屈折力を有する第２レンズ群と、
前記フォーカシングの際に前記光軸方向において固定され、前記第２レンズ群よりも前記像側に位置し、全体として正又は負の屈折力を有する第３レンズ群と、を有し、
前記第１レンズ群よりも前記像側に開口絞りが配置されており、
前記第１レンズ群は、前記物体側から前記像側へ順に、第１部分レンズ群、第２部分レンズ群、および、第３部分レンズ群からなり、
前記第１部分レンズ群は、２つの正レンズ成分からなり、
前記第２部分レンズ群は、少なくとも１つの正レンズと１つの負レンズとが接合されて負の合成屈折力を有する１つの接合レンズ、または、負の合成屈折力を有する１つの正レンズと１つの負レンズとからなり、
前記第３部分レンズ群は、前記第２部分レンズ群と前記第２レンズ群との間に位置し、全体として正の屈折力を有し、
前記第１レンズ群の最も物体側に位置するレンズの物体側面頂点から前記第１レンズ群の最も像側に位置するレンズの像側面頂点までの光軸上の距離をｄ１、前記第１部分レンズ群と前記第２部分レンズ群との間隔をｄ１ＡＢ、無限遠にフォーカスしているときの全系の焦点距離をｆ、前記第１レンズ群の焦点距離をｆ１、光学系の最も物体側の面頂点から像面までの長さをＬ、無限遠物体にフォーカシングした場合の開放ＦナンバーをＦｎｏ、前記第１部分レンズ群から前記第２部分レンズ群までのレンズ成分数の和をＬ１ｎｕｍ、無限遠物体にフォーカシングした場合の前記物体側から順にｉ番目のレンズ成分よりも前記像側の全てのレンズの合成横倍率をβｉとするとき、
０．１０＜ｄ１ＡＢ／ｄ１＜０．８０
０．２０＜ｆ１×Ｌ×Ｆｎｏ／ｆ２＜１．３０
0005822649.tif 000008
なる条件式を満足することを特徴とする光学系。
【請求項３】
前記第１部分レンズ群の焦点距離をｆ１Ａ、前記第２部分レンズ群の焦点距離をｆ１Ｂ、前記第３部分レンズ群の焦点距離をｆ１Ｃとするとき、
０．４０＜ｆ１Ａ／ｆ１Ｃ＜２．５０
−３．００＜ｆ１Ｂ／ｆ１＜−０．２０
０．６０＜ｆ１Ａ／ｆ１＜２．００
０．５０＜ｆ１Ｃ／ｆ１＜２．５０
なる条件式を満足することを特徴とする請求項２に記載の光学系。
【請求項４】
無限遠にフォーカスしているときの前記第１レンズ群と前記第２レンズ群との合成焦点距離をｆ１２とするとき、
０．２０＜ｆ１２／ｆ＜３．００
なる条件式を満足することを特徴とする請求項２または３に記載の光学系。
【請求項５】
前記第１部分レンズ群の前記２つの正レンズ成分のうち少なくとも像側の正レンズ成分は、前記物体側に凸のメニスカス形状を有していることを特徴とする請求項１乃至４のいずれか１項に記載の光学系。
【請求項６】
前記第１部分レンズ群の前記メニスカス形状を有する前記正レンズ成分において、最も物体側の空気と接している面の曲率半径をＭＬＲ１、最も像側の空気と接している面の曲率半径をＭＬＲ２とするとき、
０．２０＜（ＭＬＲ２−ＭＬＲ１）／（ＭＬＲ２＋ＭＬＲ１）＜０．９５
なる条件式を満足することを特徴とする請求項５に記載の光学系。
【請求項７】
前記光学系は、更に、
０．０８＜ｄ１Ａ／ｄ１＜０．６０
なる条件式を満足することを特徴とする請求項１乃至６のいずれか１項に記載の光学系。
【請求項８】
前記第２レンズ群の焦点距離をｆ２、前記第１部分レンズ群の２つの正レンズ成分のうち物体側の正レンズ成分の焦点距離をｆＧ１、像側の正レンズ成分の焦点距離をｆＧ２とするとき、
−０．５００＜ｆ２／ｆ＜−０．０５０
０．５０＜ｆＧ１／ｆＧ２＜３．００
なる条件式を満足することを特徴とする請求項１乃至７のいずれか１項に記載の光学系。
【請求項９】
前記第１レンズ群は、少なくとも１つの回折光学素子を有し、
前記回折光学素子の回折成分のみによる焦点距離をｆＤＯＥとするとき、
５．０＜ｆＤＯＥ／ｆ＜２００．０
なる条件式を満足することを特徴とする請求項１乃至８のいずれか１項に記載の光学系。
【請求項１０】
前記第３部分レンズ群は、１つの正レンズ成分からなることを特徴とする請求項１乃至９のいずれか１項に記載の光学系。
【請求項１１】
前記第２部分レンズ群は、１つの接合レンズからなることを特徴とする請求項１乃至９のいずれか１項に記載の光学系。
【請求項１２】
前記第１部分レンズ群は、２つの正レンズからなることを特徴とする請求項１乃至９のいずれか１項に記載の光学系。
【請求項１３】
前記開口絞りは、前記第２レンズ群と前記第３レンズ群との間に配置されていることを特徴とする請求項１または２に記載の光学系。
【請求項１４】
請求項１乃至１３のいずれか１項に記載の光学系と、
前記光学系により形成された像を受光する撮像素子と、を有することを特徴とする撮像装置。
【発明の詳細な説明】
【技術分野】
【０００１】
本発明は、固体撮像素子を用いたデジタルスチルカメラやビデオカメラ、銀塩フィルムを用いたカメラなどの撮像装置に適して用いられる光学系に関する。
【背景技術】
【０００２】
長焦点距離の撮影光学系として、物体側から像側へ順に、正の屈折力を有する前方レンズ群および負の屈折力を有する後方レンズ群からなる、所謂望遠タイプの撮影光学系（望遠レンズ）が知られている。長焦点距離とは、例えば有効撮像範囲の寸法に比べて長い焦点距離のことをいう。一般的に焦点距離の長い望遠レンズでは、焦点距離が延びるにしたがい、レンズ全長が長くなる。また、Ｆナンバー（口径比）が小さい望遠レンズを得ようとすると、特に前方レンズ群のレンズ径が大きくなる。
【０００３】
そこで、前方レンズ群を適切に構成することでレンズ全長の短い望遠レンズが提案されている。特許文献１には、焦点距離１００ｍｍ、Ｆナンバー４．５、望遠比（焦点距離に対する全長の比）０．６８程度の望遠レンズが開示されている。特許文献２には、焦点距離３００ｍｍ、Ｆナンバー４．６、望遠比０．７０程度の望遠レンズが開示されている。
【先行技術文献】
【特許文献】
【０００４】
【特許文献１】特開昭６３−１９４２１４号公報
【特許文献２】特開昭６３−１０６７１４号公報
【発明の概要】
【発明が解決しようとする課題】
【０００５】
望遠レンズは一般に、焦点距離を長くするにつれてレンズ系全体が大型化してくる。またＦナンバーが小さい望遠レンズを得ようとしてもレンズ径全体が大型化してくる。このため望遠レンズ（特に焦点距離に対してＦナンバーが小さい望遠レンズ）においてはレンズ系全体の小型化を図ることが重要になってくる。
【０００６】
一般に望遠レンズにおいて、Ｆナンバーが小さくなり、また焦点距離が長くなるにつれて、特に正の屈折力の前方レンズ群が大型化し、かつ高重量化する。前方レンズ群の小型化を図るため単純に各群の屈折力を強めると、各種の製造誤差に対して諸収差の変動量が増大する。このとき、各レンズ群（特に前方レンズ群）に要求される面精度や組み込み精度が高くなって製造が困難となり、結果的に所望の光学性能を得るのが難しくなる。このため、小型かつ軽量で製造誤差に強い望遠レンズを得ようとする場合、正の屈折力を有する前方レンズ群の構成を適切に設定することが重要である。
【０００７】
しかしながら、特許文献１、２に開示された前方レンズ群の構成では、更にレンズ全長を短縮した場合に製造誤差に対する諸収差の変動量は大きくなる。このため、特許文献１、２の構成では、製造誤差に強く、かつ全長が短く軽量な望遠レンズを得ることはできない。
【０００８】
そこで本発明は、製造容易で小型および軽量な光学系および撮像装置を提供する。
【課題を解決するための手段】
【０００９】
本発明の一側面としての光学系は、物体側から像側へ順に、フォーカシングの際に固定され、全体として正の屈折力を有する第１レンズ群と、前記フォーカシングの際に光軸方向に移動し、全体として負の屈折力を有する第２レンズ群と、前記フォーカシングの際に前記光軸方向において固定され、前記第２レンズ群よりも前記像側に位置し、全体として正又は負の屈折力を有する第３レンズ群とを有し、前記第１レンズ群よりも前記像側に開口絞りが配置されており、前記第１レンズ群は、前記物体側から前記像側へ順に、第１部分レンズ群、第２部分レンズ群、および、第３部分レンズ群からなり、前記第１部分レンズ群は、２つの正レンズ成分からなり、前記第２部分レンズ群は、少なくとも１つの正レンズと１つの負レンズとが接合されて負の合成屈折力を有する１つの接合レンズ、または、負の合成屈折力を有する１つの正レンズと１つの負レンズとからなり、前記第３部分レンズ群は、前記第２部分レンズ群と前記第２レンズ群との間に位置し、全体として正の屈折力を有し、各レンズ群は適切な条件を満たすように構成されている。
【００１０】
本発明の他の側面としての撮像装置は、前記光学系と、前記撮影光学系により形成された像を受光する撮像素子とを有する。
【００１１】
本発明の他の目的及び特徴は、以下の実施例において説明される。
【発明の効果】
【００１２】
本発明によれば、製造容易で小型および軽量な光学系および撮像装置を提供することができる。
【図面の簡単な説明】
【００１３】
【図１】実施例１において、物体距離無限遠時の光学系の断面図および収差図である。
【図２】実施例２において、物体距離無限遠時の光学系の断面図および収差図である。
【図３】実施例３において、物体距離無限遠時の光学系の断面図および収差図である。
【図４】実施例４において、物体距離無限遠時の光学系の断面図および収差図である。
【図５】実施例５において、物体距離無限遠時の光学系の断面図および収差図である。
【図６】実施例６において、物体距離無限遠時の光学系の断面図および収差図である。
【図７】実施例７において、物体距離無限遠時の光学系の断面図および収差図である。
【図８】実施例８において、物体距離無限遠時の光学系の断面図および収差図である。
【図９】実施例９において、物体距離無限遠時の光学系の断面図および収差図である。
【図１０】実施例１０において、物体距離無限遠時の光学系の断面図および収差図である。
【図１１】本実施例における撮像装置の概略構成図である。
【図１２】本実施例における光学作用の説明図である。
【発明を実施するための形態】
【００１４】
以下、本発明の実施形態について、図面を参照しながら詳細に説明する。各図において、同一の部材については同一の参照番号を付し、重複する説明は省略する。
【００１５】
本実施形態の光学系（撮影光学系）は、物体側から像側へ順に、正の屈折力を有する第１レンズ群Ｌ１、フォーカシングのために光軸ＯＡの方向（光軸方向）に移動する負の屈折力を有する第２レンズ群、および、正又は負の屈折力を有する第３レンズ群を備える。ここでフォーカシングとは、無限遠物体や有限距離物体に焦点を合わせる操作のことをいう。
【００１６】
図１乃至図１０は、それぞれ本発明の実施例１乃至１０における、物体距離無限遠時の光学系の断面図（各図の（ａ））および縦収差図（各図の（ｂ））である。図１１は、本実施形態における光学系をカメラ本体（撮像装置本体）に装着して構成された一眼レフカメラシステム（撮像装置）の概略構成図である。図１２は、本実施形態における光学作用の説明図（近軸配置概略図）である。
【００１７】
図１（ａ）〜図１０（ａ）の各断面図において、Ｌ０は撮影光学系（光学系）である。ＳＰは開口絞りである。撮影光学系Ｌ０は、正の屈折力を有する第１レンズ群Ｌ１、負の屈折力を有する第２レンズ群Ｌ２、および、正又は負の屈折力を有する第３レンズ群Ｌ３を備えて構成されている。第１レンズ群Ｌ１は、物体側から像側へ順に、固定の第１部分レンズ群Ｌ１Ａ、固定の第２部分レンズ群Ｌ１Ｂ、および、固定の第３部分レンズ群Ｌ１Ｃからなる。ＩＰは像面である。本実施形態の光学系がビデオカメラやデジタルカメラの撮影光学系として用いられる場合、像面ＩＰは、この光学系により形成された像を受光するＣＣＤセンサやＣＭＯＳセンサ等の撮像素子（光電変換素子）の撮像面に相当する。また、光学系が銀塩フィルム用カメラの撮像光学系として用いられる場合、像面ＩＰはフィルム面に相当する。
【００１８】
図１（ｂ）〜図１０（ｂ）の各収差図において、ｄはｄ線、ｇはｇ線である。Ｍはメリディオナル像面、Ｓはサジタル像面である。倍率色収差はｇ線によって表されている。ＦｎｏはＦナンバー、ωは半画角である。全ての収差図では、後述する各数値実施例をｍｍ単位で表した場合、球面収差０．２ｍｍ、非点収差０．２ｍｍ、歪曲２％、倍率色収差０．０２ｍｍのスケールで描かれている。
【００１９】
各実施例の撮影光学系Ｌ０は望遠レンズであり、例えば以下のような第１の特徴または第２の特徴を有する。第１の特徴を有する光学系は、物体側から像側へ順に、第1レンズ群Ｌ１、第２レンズ群Ｌ２、および、第３レンズ群Ｌ３を有する。第１レンズ群Ｌ１は、フォーカシングの際に固定され、全体として正の屈折力を有する。第２レンズ群Ｌ２は、フォーカシングの際に光軸方向に移動し（無限遠にフォーカスしているときから、より近い対象物へフォーカシングの際に像側へ移動し）、全体として負の屈折力を有する。第３レンズ群Ｌ３は、第２レンズ群Ｌ２よりも像側に位置し、全体として正又は負の屈折力を有する。また第１レンズ群Ｌ１は、物体側から像側へ順に、第１部分レンズ群Ｌ１Ａ、第２部分レンズ群Ｌ１Ｂ、および、第３部分レンズ群Ｌ１Ｃからなる。第１部分レンズ群Ｌ１Ａは、２つの正レンズ成分からなる。第２部分レンズ群Ｌ１Ｂは、少なくとも１つの正レンズと１つの負レンズとが接合されて負の合成屈折力を有する１つの接合レンズ、または、負の合成屈折力を有する１つの正レンズと１つの負レンズとからなる。第３部分レンズ群Ｌ１Ｃは、第２部分レンズ群Ｌ１Ｂと前記第２レンズ群Ｌ２との間に位置し、全体として正の屈折力を有する。そして、以下の条件式（１）〜（５）を満足する。
【００２０】
−３．００＜ｆ１Ｂ／ｆ１＜−０．２０        …  （１）
０．５０＜ｆ１Ｃ／ｆ１＜２．５０            …  （２）
０．４０＜ｆ１Ａ／ｆ１Ｃ＜２．５０          …  （３）
０．２０＜ｆ１２／ｆ＜３．００        …  （４）
０．１０＜ｄ１ＡＢ／ｄ１＜０．８０          …  （５）
ここで、ｆは無限遠にフォーカスしているときの全系の焦点距離、ｆ１は第１レンズ群Ｌ１の焦点距離、ｆ１Ａは第１部分レンズ群Ｌ１Ａの焦点距離、ｆ１Ｂは第２部分レンズ群Ｌ１Ｂの焦点距離、ｆ１Ｃは第３部分レンズ群Ｌ１Ｃの焦点距離である。ｆ１２は無限遠にフォーカスしているときの第１レンズ群Ｌ１と第２レンズ群Ｌ２との合成焦点距離である。ｄ１は第１レンズ群Ｌ１の最も物体側に位置するレンズの物体側面頂点から第１レンズ群Ｌ１の最も像側に位置するレンズの像側面頂点までの光軸上の距離である。ｄ１ＡＢは第１部分レンズ群Ｌ１Ａと第２部分レンズ群Ｌ１Ｂとの間隔である。
【００２１】
第２の特徴を有する光学系は、物体側から像側へ順に、第1レンズ群Ｌ１、第２レンズ群Ｌ２、および、第３レンズ群Ｌ３を有する。第１レンズ群Ｌ１は、フォーカシングの際に固定され、全体として正の屈折力を有する。第２レンズ群Ｌ２は、フォーカシングの際に光軸方向に移動し（無限遠にフォーカスしている状態から、より近い対象物へフォーカシングの際に像側へ移動し）、全体として負の屈折力を有する。第３レンズ群Ｌ３は、第２レンズ群Ｌ２よりも像側に位置し、全体として正又は負の屈折力を有する。また第１レンズ群Ｌ１は、物体側から像側へ順に、第１部分レンズ群Ｌ１Ａ、第２部分レンズ群Ｌ１Ｂ、および、第３部分レンズ群Ｌ１Ｃからなる。第１部分レンズ群Ｌ１Ａは、２つの正レンズ成分からなる。第２部分レンズ群Ｌ１Ｂは、少なくとも１つの正レンズと１つの負レンズとが接合されて負の合成屈折力を有する１つの接合レンズ、または、負の合成屈折力を有する１つの正レンズと１つの負レンズとからなる。第３部分レンズ群Ｌ１Ｃは、第２部分レンズ群Ｌ１Ｂと前記第２レンズ群Ｌ２との間に位置し、全体として正の屈折力を有する。そして、以下の条件式（６）、（７）を満足する。
【００２２】
０．２０＜ｆ１×Ｌ×Ｆｎｏ／ｆ２＜１．３０  …  （６）
【００２３】
【数１】
0005822649.tif 000002
【００２４】
ここで、ｆは無限遠にフォーカスしているときの全系の焦点距離、ｆ１は第１レンズ群Ｌ１の焦点距離、Ｌは光学系の最も物体側の面頂点から像面までの長さである。Ｆｎｏは無限遠物体にフォーカシングした場合の開放Ｆナンバー、Ｌ１ｎｕｍは第１部分レンズ群Ｌ１Ａから第２部分レンズ群Ｌ１Ｂまでのレンズ成分数の和である。βｉは無限遠物体にフォーカシングした場合の物体側から順にｉ番目のレンズ成分よりも像側の全てのレンズの合成横倍率（横倍率）である。
【００２５】
図１２のモデルに示されるような望遠レンズ（光学系）において、軸上近軸光線のレンズへの入射高さは、光軸ＯＡと瞳近軸光線の交わる点より物体側で高く、像側で低くなっている。望遠レンズはこのようにいわゆる望遠タイプの構成を有する。この場合、口径比を大きくすると（Ｆナンバーを小さくすると）、開放Ｆナンバーは物体側近傍のレンズ径で決定され、望遠レンズの中では物体側のレンズほど有効径が大きくなる。特に、Ｆナンバーが小さくなると、レンズの有効径が増大し、それに伴ってレンズ外径も増大し、さらにその略３乗で重量が増す。このため、大きな口径比を有する望遠レンズほど像側より物体側のレンズの重量が増大する傾向がある。このように、大きな口径比を有する望遠レンズにおいては、全系の軽量化を図ることが重要である。このような状況でレンズ系全体の重量を軽減するには、仕様や結像性能を変えずにレンズ全長（第１レンズ面から像面までの距離）を短縮し、また、第１レンズ群を構成するレンズの枚数を削減することや、レンズ有効径を小さくすることが必要となる。
【００２６】
後述の各実施例では、このような構成を有する光学系において、レンズ系全体の重量を軽減するため、まずレンズ全長を短縮する。この方法として、正の屈折力を有する第１レンズ群Ｌ１の屈折力を強めることや、第１レンズ群Ｌ１自体のレンズ群の厚み（光軸方向の長さ）を薄くすることなどがある。しかし一般的に、焦点距離と比較してＦナンバーが小さい（例えばｆ／Ｆｎｏ＞７０）望遠レンズでは、Ｆナンバーが大きい（例えば７０＞ｆ／Ｆｎｏ）望遠レンズに比べて球面収差やコマ収差が増大する。そこで従来の望遠レンズでは、第１レンズ群Ｌ１のレンズ枚数を増やすことで、収差補正を行っている。
【００２７】
次に、焦点距離と比較してＦナンバー（開放Ｆナンバー）が小さい望遠レンズ（例えばｆ／Ｆｎｏ＞７０）において、レンズ全長を短縮する手法について考える。簡単に全長を短縮可能な方法の一つとして、第１レンズ群Ｌ１の屈折力を強めることが挙げられる。しかしながら、第１レンズ群Ｌ１の屈折力を単に強めるだけでレンズ全長を短縮しようとすると、正レンズの肉厚（中心厚）が増大する。このため、第１レンズ群Ｌ１の重量が増大し、Ｆナンバーが小さい望遠レンズではレンズ全長の短縮に見合った軽量化の効果が得られない。またレンズ枚数が多いため、レンズ全長を短縮するための空気間隔が少なく、ある程度以上になると十分なレンズ全長の短縮効果が得られない。
【００２８】
そこで各実施例では、第１レンズ群Ｌ１内に少なくとも１つの非球面形状のレンズ面を配置して光学特性を良好に維持しつつ、第１レンズ群Ｌ１のレンズ枚数を削減して第１レンズ群Ｌ１のレンズ群厚を薄くしている。そして、更に第１レンズ群Ｌ１の屈折力を強めることでレンズ全長を短縮している。このとき、焦点距離ｆが長く、ＦナンバーＦｎｏが小さい（例えばｆ／Ｆｎｏ＞７０）望遠レンズにおいて全長を短縮すると、次のような問題が生じてくる。ここで望遠レンズは、例えば焦点距離ｆ＝５００ｍｍ、ＦナンバーＦｎｏ＝４．０のレンズである。また、焦点距離ｆ＝５００ｍｍ、ＦナンバーＦｎｏ＝５．６のレンズや、焦点距離ｆ＝６００ｍｍ、ＦナンバーＦｎｏ＝４．０のレンズ、焦点距離ｆ＝８００ｍｍ、ＦナンバーＦｎｏ＝５．６のレンズなども本実施形態の望遠レンズである。
【００２９】
第１レンズ群Ｌ１のレンズ枚数を削減しつつ、単純に第１レンズ群Ｌ１全体の屈折力を強めると、第１レンズ群Ｌ１の各々のレンズの屈折力も強くなり、曲率半径が小さくなる。このとき、各レンズ面や鏡筒への組み込み時の製造誤差に対する諸収差の変化量（以下、「敏感度」という）が大きくなる。このため、所望の光学性能を得ようとすると、非常に高い製造精度が要求される。この場合、設計段階で高い結像性能を導き出せたとしても、実際の製造時には結像性能がばらつき、所望の結像性能を得ることが困難となる。通常のフルハイビジョン（画素数１９２０×１０８０、画素サイズ数μｍ）相当の画質であれば、多少の製造誤差による収差のばらつきも許容される。しかし、画素数のアップや画素サイズの縮小による高画質化を考慮すると、一定の製造誤差に対する諸収差の変化量を小さくして（敏感度を小さくして）製造時の結像性能のばらつきを従来以上に低減させることが必要である。
【００３０】
そこで各実施例では、第１レンズ群Ｌ１の屈折力を強めることでレンズ全長を短縮したことに加えて、次のような構成を採用している。第１レンズ群Ｌ１を、物体側から像側へ順に、第１部分レンズ群Ｌ１Ａ、第２部分レンズ群Ｌ１Ｂ、および、第３部分レンズ群Ｌ１Ｃの計３つの部分レンズ群に分けている。第１部分レンズ群Ｌ１Ａは、２つの正レンズ成分で構成されている。第２部分レンズ群Ｌ１Ｂは、少なくとも１つの正レンズと１つの負レンズが接合されて負の合成屈折力を有する１つの接合レンズ、または、負の合成屈折力を有する１つの正レンズと１つの負レンズで構成されている。第２部分レンズ群Ｌ１Ｂと第２レンズ群Ｌ２との間に、全体として正の屈折力を有する第３部分レンズ群Ｌ１Ｃが配置されている。
【００３１】
ここで、「レンズ成分」とは、１つのレンズ（単レンズ）、および、複数のレンズを接合して構成された１つの接合レンズの両方を含む意味である。「正レンズ成分」の場合、合成屈折力として正の屈折力を有していればよいため、同符号の屈折力のレンズ同士の接合に限定されるものではなく、異符号の屈折力のレンズ同士を接合して構成してもよい。また、１つの接合レンズにおける接合枚数も限定されるものではない。第２部分レンズ群Ｌ１Ｂについても、１つの接合レンズとして構成されている場合の接合枚数は限定されない。また第１部分レンズ群Ｌ１Ａから第３部分レンズ群Ｌ１Ｃまでの各レンズ（またはレンズ成分）について、レンズの表面に樹脂材料をレプリカ等の手法で張り付けて収差補正等を行ってもよい。
【００３２】
次に、本実施形態の光学系において、収差補正と製造誤差に対する敏感度の低減を両立させたメカニズムについて説明する。第１部分レンズ群Ｌ１Ａは、最も物体側に位置するレンズ群であるため、軸上近軸光線の高さが高く、また瞳近軸光線もレンズの周辺部分を通過する。このため、３次収差係数で言うところのI、II、III（球面収差、コマ収差、像面湾曲）が多く発生する。なお、I、II、IIIの収差係数の定義については、例えば「共立出版株式会社  光学技術シリーズ１  レンズ設計法  松居吉哉著」に説明されている。このため、第１部分レンズ群Ｌ１Ａ分を１つのレンズ成分で構成してしまうと、敏感度が非常に大きくなってしまう。そこで、第１部分レンズ群Ｌ１Ａを２つの正レンズ成分で構成することにより、敏感度をそれぞれの正レンズ成分に分散させることができる。また、第１部分レンズ群Ｌ１Ａを１つのレンズ成分で構成すると、屈折力が集中して非常に強い屈折力となる。このため、レンズが厚くなり軽量化の達成が困難となる。そこで上述のように、２つの正レンズ成分で屈折力を分担することで、レンズ厚みの増大も防ぐことができ、結果的に１つのレンズ成分で構成するよりも軽量化が容易となる。
【００３３】
第２部分レンズ群Ｌ１Ｂは、第１レンズ群Ｌ１の中ほどに位置するレンズ群であるため、第１部分レンズ群Ｌ１Ａ程ではないが軸上近軸光線の高さが高く、また瞳近軸光線もレンズの周辺部分を通過する。このため、正の屈折力を有する第１部分レンズ群Ｌ１Ａで発生した諸収差を、負レンズが含まれる第２部分レンズ群Ｌ１Ｂで補正している。また、第２部分レンズ群Ｌ１Ｂ内の負レンズにより、第１レンズ群Ｌ１全体で発生する色収差が補正される。
【００３４】
第３部分レンズ群Ｌ１Ｃは、第１レンズ群Ｌ１の最も像側に位置するレンズ群であるため、瞳近軸光線がレンズの中心付近を通過する。このため、第１部分レンズ群Ｌ１Ａ程のコマ収差や像面湾曲は発生せず、主に球面収差が発生する。そこで第３部分レンズ群Ｌ１Ｃでは、第２部分レンズ群Ｌ１Ｂまでで補正できなかった球面収差の補正残りを補正し、収差バランスを取っている。また、屈折力配置としての第３部分レンズ群Ｌ１Ｃの役割は、第１部分レンズ群Ｌ１Ａと第２部分レンズ群Ｌ１Ｂの屈折力バランスの調節である。第１部分レンズ群Ｌ１Ａと第２部分レンズ群Ｌ１Ｂで収差を補正しつつ、第１レンズ群Ｌ１全体として適切な屈折力で全長が短縮できるように、第３部分レンズ群Ｌ１Ｃの屈折力で調節している。
【００３５】
このように第１レンズ群Ｌ１を３つの部分レンズ群で構成することで、各部分レンズ群内での収差補正と、第１レンズ群Ｌ１全体での収差補正を両立できる。このため、各々のレンズ単体での敏感度を大きく増大させることなく、第１レンズ群Ｌ１全体の屈折力を強くすることが可能となる。
【００３６】
次に、前述の各条件式の技術的意味について説明する。条件式（１）は、第２部分レンズ群Ｌ１Ｂの焦点距離に関する。条件式（１）の上限値を超えると、第２部分レンズ群Ｌ１Ｂの焦点距離が短くなりすぎる。このとき、第２部分レンズ群Ｌ１Ｂを射出した光線は強く発散されるため、レンズ全系の小型化が難しくなるとともに、球面収差やコマ収差の補正が困難となり、好ましくない。一方、条件式（１）の下限値を超えると、第２部分レンズ群Ｌ１Ｂの焦点距離が長くなりすぎる。このとき、第１部分レンズ群Ｌ１Ａと第３部分レンズ群Ｌ１Ｃとの屈折力バランスがとりづらくなるとともに、第１レンズ群Ｌ１内の収差補正のキャンセル関係を作りにくくなるため、好ましくない。
【００３７】
条件式（１）は、好ましくは次のように設定される。
【００３８】
−２．３０＜ｆ１Ｂ／ｆ１＜−０．３０        …  （１ａ）
また条件式（１ａ）は、更に好ましくは次のように設定される。
【００３９】
−１．３０＜ｆ１Ｂ／ｆ１＜−０．５０        …  （１ｂ）
条件式（２）は、第３部分レンズ群Ｌ１Ｃの焦点距離に関する。条件式（２）の上限値を超えると、第３部分レンズ群Ｌ１Ｃの焦点距離が長くなりすぎる。このとき、第１レンズ群Ｌ１全体として必要な屈折力を主に第１部分レンズ群Ｌ１Ａで得なければならず、第１部分レンズ群Ｌ１Ａの屈折力が強くなる。このため、第１部分レンズ群Ｌ１Ａで発生する球面収差やコマ収差の補正が困難となり、好ましくない。一方、条件式（２）の下限値を超えると、第３部分レンズ群Ｌ１Ｃの焦点距離が短くなりすぎる。このとき、第３部分レンズ群Ｌ１Ｃを射出した光線は強く集光されるため、レンズ全系の小型化には有効であるが、第２レンズ群Ｌ２でフォーカシングした際に、撮影物体距離によって第３部分レンズ群Ｌ１Ｃを通過する光線の高さや角度が大きく変化する。この場合、物体距離に応じて球面収差量やコマ収差量が大きく変化し、この変化を第２レンズ群Ｌ２で補正することが困難となるため、好ましくない。
【００４０】
条件式（２）は、好ましくは次のように設定される。
【００４１】
０．５５＜ｆ１Ｃ／ｆ１＜２．２５      …  （２ａ）
また条件式（２ａ）は、更に好ましくは次のように設定される。
【００４２】
０．６０＜ｆ１Ｃ／ｆ１＜２．００      …  （２ｂ）
条件式（３）は、第１部分レンズ群Ｌ１Ａと第３部分レンズ群Ｌ１Ｃの焦点距離のバランスに関する。条件式（３）の上限値または下限値を超えると、第１部分レンズ群Ｌ１Ａと第３部分レンズ群Ｌ１Ｃの屈折力バランスが偏り、小型化と高い結像性能の両立が難しくなるため、好ましくない。
【００４３】
条件式（３）は、好ましくは次のように設定される。
【００４４】
０．５０＜ｆ１Ａ／ｆ１Ｃ＜２．２５    …  （３ａ）
また条件式（３ａ）は、更に好ましくは次のように設定される。
【００４５】
０．６０＜ｆ１Ａ／ｆ１Ｃ＜２．１０    …  （３ｂ）
条件式（４）は、無限遠にフォーカスしているときの第１レンズ群Ｌ１と第２レンズ群Ｌ２の合成焦点距離に関する。
【００４６】
条件式（４）の上限値を超えると、第１レンズ群Ｌ１と第２レンズ群Ｌ２の合成焦点距離が長くなりすぎる。このとき、全長の短縮が困難となるため、好ましくない。一方、条件式（４）の下限値を超えると、第１レンズ群Ｌ１と第２レンズ群Ｌ２の合成焦点距離が短くなりすぎる。これは、全長の短縮には効果があるが、第２レンズ群Ｌ２までの合成屈折力が強くなりすぎ、第２レンズ群Ｌ２までに発生した球面収差や像面湾曲を像側の群で補正することが困難となるため、好ましくない。
【００４７】
条件式（４）は、好ましくは次のように設定される。
【００４８】
０．４０＜ｆ１２／ｆ＜２．２５  …  （４ａ）
また条件式（４ａ）は、更に好ましくは次のように設定される。
【００４９】
０．５０＜ｆ１２／ｆ＜１．７０  …  （４ｂ）
条件式（５）は、第１部分レンズ群Ｌ１Ａと第２部分レンズ群Ｌ１Ｂとの群間隔に関する。第１部分レンズ群Ｌ１Ａと第２部分レンズ群Ｌ１Ｂとの群間隔をこの条件式の範囲内に設定すると、第２部分レンズ群Ｌ１Ｂ径を小さくできるため、軽量化に好ましい。条件式（５）の上限値を超えると、第１レンズ群Ｌ１の厚みに対して第１部分レンズ群Ｌ１Ａと第２部分レンズ群Ｌ１Ｂとの間隔が広くなりすぎる。このとき、第１レンズ群Ｌ１が大型化して小型化および軽量化が困難となるため、好ましくない。一方、条件式（５）の下限値を超えると、第１レンズ群Ｌ１の厚みに対して第１部分レンズ群Ｌ１Ａと第２部分レンズ群Ｌ１Ｂとの間隔が狭くなりすぎる。このとき、第１部分レンズ群Ｌ１Ａを射出した光線が十分に収束されないまま第２部分レンズ群Ｌ１Ｂに入射することになり、第２部分レンズ群Ｌ１Ｂのレンズ径が大きくなり軽量化が困難になるため、好ましくない。
【００５０】
条件式（５）は、好ましくは次のように設定される。
【００５１】
０．１５＜ｄ１ＡＢ／ｄ１＜０．７０    …  （５ａ）
また条件式（５ａ）は、更に好ましくは次のように設定される。
【００５２】
０．２０＜ｄ１ＡＢ／ｄ１＜０．６０    …  （５ｂ）
条件式（６）は、撮影光学系Ｌ０の第１レンズ群Ｌ１の屈折力、全長、および、Ｆナンバーに関する。条件式（６）の上限値を超えると、第１レンズ群Ｌ１の屈折力が弱くなりすぎるか全長が長すぎるか、またはＦナンバーが大きくなりすぎる。第１レンズ群Ｌ１の屈折力が弱くなると、全長の短縮が困難になる。また全長が長い場合には、軽量化およびコンパクト化のいずれも達成することができない。Ｆナンバーが大きいと、レンズ径が小さくなり軽量化およびコンパクト化には有利であるが、像が暗くなるためユーザメリットが少なくなり、回折限界により結像性能も劣化するため、好ましくない。一方、条件式（６）の下限値を超えると、第１レンズ群Ｌ１の屈折力が強くなりすぎるか全長が短すぎるか、またはＦナンバーが小さくなりすぎる。全長やＦナンバーについてはユーザメリットが大きくなるため有利である。しかし、第１レンズ群Ｌ１の屈折力が強くなりすぎると特に球面収差やコマ収差を補正できる解が無くなり、高い結像性能を維持することが困難になるため、好ましくない。
【００５３】
条件式（６）は、好ましくは次のように設定される。
【００５４】
０．３０＜ｆ１×Ｌ×Ｆｎｏ／ｆ２＜１．３０  …  （６ａ）
また条件式（６ａ）は、更に好ましくは次のように設定される。
【００５５】
０．４０＜ｆ１×Ｌ×Ｆｎｏ／ｆ２＜１．２７  …  （６ｂ）
条件式（７）は、第１部分レンズ群Ｌ１Ａ内と第２部分レンズ群Ｌ１Ｂ内の各々のレンズ成分よりも後ろ（像側）にあるレンズ全ての合成横倍率に関する。ｉは物体側から順に数えたレンズ成分番号（ｉ番目）である。例えばβ２は、物体側から２番目のレンズ成分（第１部分レンズ群Ｌ１Ａの像側の正レンズ成分）よりも像側の全てのレンズの合成横倍率である。Ｌ１ｎｕｍは、第１部分レンズ群Ｌ１Ａから第２部分レンズ群Ｌ１Ｂまでのレンズ成分数の和である。
【００５６】
計算例について、数値実施例６を参照して説明する。第１部分レンズ群Ｌ１Ａは３枚の正レンズで構成されているが、最初の（物体側の）２枚のレンズは接合されて１つの接合レンズを形成し、この接合レンズで１つの正レンズ成分が構成されている。このため、β１は物体側から３枚目の正レンズの物体側の面から最も像側のレンズの像側の面（第４面から第２９面）までの合成横倍率である。β２は第２部分レンズ群Ｌ１Ｂの最も物体側の面から最も像側のレンズの像側の面（第６面から第２９面）までの合成横倍率である。β３は第３部分レンズ群Ｌ１Ｃの最も物体側の面から最も像側のレンズの像側の面（第９面から第２９面）までの合成横倍率である。数値実施例６では、第１部分レンズ群Ｌ１Ａと第２部分レンズ群Ｌ１Ｂは、合計３つのレンズ成分（２つのレンズ成分からなる第１部分レンズ群Ｌ１Ａ、１つのレンズ成分からなる第２部分レンズ群Ｌ１Ｂ）で構成されているため、β４は無い。このため、条件式（７）を数値実施例６に当てはめると、│β１×β２×β３│×Ｌ／ｆとなる。
【００５７】
条件式（７）の上限を超えると、第１レンズ群Ｌ１内の特にレンズ径の大きい群である第１部分レンズ群Ｌ１Ａや第２部分レンズ群Ｌ１Ｂの各レンズ成分に対してかかる後ろ（像側）のレンズ全体の合成横倍率が大きくなりすぎる。合成横倍率が大きい場合、そのレンズの製造誤差による収差変化量が後ろのレンズの合成横倍率によって拡大される。このとき、僅かな製造誤差であっても後ろのレンズによる合成横倍率で拡大されるため、結果的に得られる像が設計値の結像性能から大きく変化する。このような状況では、レンズ製造に要求される精度や組み込みに要求される精度が高くなり、好ましくない。一方、条件式（７）の下限を超えると、合成横倍率が小さくなりすぎる。このとき、そのレンズの持つ収差補正能力も小さくなり、他のレンズの収差補正分担負荷が大きくなるため、好ましくない。
【００５８】
条件式（７）は、好ましくは次のように設定される。
【００５９】
【数２】
0005822649.tif 000003
【００６０】
また条件式（７ａ）は、更に好ましくは次のように設定される。
【００６１】
【数３】
0005822649.tif 000004
【００６２】
本実施形態の光学系は以上のように構成されるが、更に好ましくは、次に述べる条件のうち少なくとも１つを満足するように構成される。これによれば、高い結像性能を維持しつつ、更なるレンズ全長の短縮効果と敏感度低減効果を容易に得ることができる。
【００６３】
第１部分レンズ群Ｌ１Ａ内の２つの正レンズ成分のうち、少なくとも像側の正レンズ成分は、物体側に凸のメニスカス形状を有することが好ましい。このような構成により、最も物体側の正レンズ成分で収束した光線が像側の正レンズ成分に入射する時の入射角度を緩くして（面法線の角度に近い角度で）入射させることができる。また、像側の正レンズ成分の物体側の面を通過した光線が像側の面に入射する時の入射角度を緩くする（面法線の角度に近い角度で入射させる）ことができる。このような構成により、球面収差やコマ収差の発生を低減させることができるため、好ましい。またメニスカス形状を採用すれば、ある程度の屈折力も維持することができる。このため、第１部分レンズ群Ｌ１Ａ内での屈折力分担も可能となり敏感度を低減させることができるため、好ましい。
【００６４】
更に、第１レンズ群Ｌ１には少なくとも１つ回折光学部Ｄを有する回折光学素子ＤＯＥが設けられていることが好ましい。回折光学素子ＤＯＥを設けることで、レンズ枚数を増やすことなく色収差を補正することが容易となり、比重が比較的重い蛍石などの異常分散ガラスを使用しなくても色収差が補正可能となる。このとき、更なる軽量化が達成できるため好ましい。
【００６５】
第３部分レンズ群Ｌ１Ｃは１つの正レンズ成分で構成されていることが好ましい。このような構成により、最小限のレンズ枚数で第１レンズ群Ｌ１内の屈折力バランスと収差バランスを取ることができるため、軽量化に好ましい。
【００６６】
第２部分レンズ群Ｌ１Ｂは、１つの接合レンズで構成されていることが好ましい。第２部分レンズ群Ｌ１Ｂを接合レンズで構成することで、正レンズと負レンズとの間の空気との界面を無くし、進む光線に対してレンズ間の屈折率差を小さくすることができる。このような構成により、単レンズのみで構成するよりも敏感度を低減させることができるため好ましい。
【００６７】
第１部分レンズ群Ｌ１Ａは、２つの正レンズで構成されていることが好ましい。２つの正レンズを配置して屈折力分担をすることで、敏感度も分担できるため、１つの正レンズの構成を採用するよりも敏感度を低減できる。このため、光学系の製造をより容易にすることができる。また、第１部分レンズ群Ｌ１Ａでは負レンズを使用しない構成を取ることで、効率的に収束光束を作り出すことができるため、全長の短縮が容易となる。また、負レンズがないことで、重量の軽量化も図ることができるため、更に好ましい。
【００６８】
第１レンズ群Ｌ１の焦点距離をｆ１、第１部分レンズ群Ｌ１Ａの焦点距離をｆ１Ａとする。第１部分レンズ群Ｌ１Ａ内のメニスカス形状を有するレンズ成分において、最も物体側の空気と接している面の曲率半径をＭＬＲ１、最も像側の空気と接している面の曲率半径をＭＬＲ２とする。第１レンズ群Ｌ１の最も物体側のレンズの物体側面頂点から第１レンズ群Ｌ１の最も像側のレンズの像側面頂点までの光軸上の距離をｄ１とする。第１部分レンズ群Ｌ１Ａの最も物体側のレンズの物体側面頂点から第１部分レンズ群Ｌ１Ａの最も像側のレンズの像側面頂点までの光軸上の距離をｄ１Ａとする。無限遠にフォーカスしているときの全系の焦点距離をｆ、第２レンズ群Ｌ２の焦点距離をｆ２とする。第１部分レンズ群Ｌ１Ａ内の２つの正レンズ成分のうち物体側の正レンズ成分の焦点距離をｆＧ１、像側の正レンズ成分の焦点距離をｆＧ２とする。回折光学素子ＤＯＥの回折成分のみによる焦点距離をｆＤＯＥとする。このとき、以下の条件式（８）〜（１３）を満足することが好ましい。
【００６９】
０．６０＜ｆ１Ａ／ｆ１＜２．００            …  （８）
０．２０＜（ＭＬＲ２−ＭＬＲ１）／（ＭＬＲ２＋ＭＬＲ１）＜０．９５  …（９）
０．０８＜ｄ１Ａ／ｄ１＜０．６０            …  （１０）
−０．５００＜ｆ２／ｆ＜−０．０５０  …  （１１）
０．５０＜ｆＧ１／ｆＧ２＜３．００          …  （１２）
５．０＜ｆＤＯＥ／ｆ＜２００．０            …  （１３）
条件式（８）は、第１部分レンズ群Ｌ１Ａの焦点距離に関する。条件式（８）の上限値を超えると、第１部分レンズ群Ｌ１Ａの焦点距離が長くなりすぎる。このとき、第１部分レンズ群Ｌ１Ａを射出した光線が十分に収束されずに第２部分レンズ群Ｌ１Ｂに入射する。このため、第２部分レンズ群Ｌ１Ｂのレンズ径が大型化して軽量化が困難になり好ましくない。一方、条件式（８）の下限値を超えると、第１部分レンズ群Ｌ１Ａの焦点距離が短くなりすぎる。このとき、第１部分レンズ群Ｌ１Ａを射出した光線は強く集光されるため、レンズ全系の小型化には有効であるが、球面収差やコマ収差の補正が困難となり、好ましくない。
【００７０】
条件式（８）は、好ましくは次のように設定される。
【００７１】
０．６５＜ｆ１Ａ／ｆ１＜１．７０            …  （８ａ）
また条件式（８ａ）は、更に好ましくは次のように設定される。
【００７２】
０．６７＜ｆ１Ａ／ｆ１＜１．４０            …  （８ｂ）
条件式（９）は第１部分レンズ群Ｌ１Ａ内の物体側に凸形状のメニスカスレンズの形状に関する。条件式（９）の上限値を超えると、物体側の面と像側の面で曲率半径差が大きくなりすぎる。このとき、物体側の面を通過した光線が像側の面に入射する時の角度を緩くすることができなくなり、球面収差やコマ収差の発生量が増大する。第１部分レンズ群Ｌ１Ａ内でこれらの収差を補正しようとすると、キャンセルするために逆符号で同程度の収差を発生させる必要があり、敏感度の増大につながるため好ましくない。また、第１部分レンズ群Ｌ１Ａよりも像側の群で補正しようとすると、それらの群は第１部分レンズ群Ｌ１Ａよりも軸上近軸光線高さが低い。このため、他の収差に影響を与えずに第１部分レンズ群Ｌ１Ａで発生した球面収差とコマ収差を補正することが困難になり、好ましくない。一方、条件式（９）の下限値を超えると、物体側の面と像側の面で曲率半径差が小さくなりすぎる。このとき、第１部分レンズ群Ｌ１Ａで必要な屈折力を得るために、他方の正レンズ成分の屈折力を強める必要があり、屈折力分担が偏る。このため、屈折力の強い方の正レンズ成分の敏感度が増大することになり、好ましくない。
【００７３】
条件式（９）は、好ましくは次のように設定される。
【００７４】
０．２５＜（ＭＬＲ２−ＭＬＲ１）／（ＭＬＲ２＋ＭＬＲ１）＜０．９５  …（９ａ）
また条件式（９ａ）は、更に好ましくは次のように設定される。
【００７５】
０．３５＜（ＭＬＲ２−ＭＬＲ１）／（ＭＬＲ２＋ＭＬＲ１）＜０．９３  …（９ｂ）
条件式（１０）は、第１部分レンズ群Ｌ１Ａの厚さに関する。第１部分レンズ群Ｌ１Ａの厚さをこの条件式範囲内に設定すると、第１部分レンズ群Ｌ１Ａの厚さが第１レンズ群Ｌ１の厚さに対して薄くなる。このとき、正レンズ成分同士を近接配置することができるため、正レンズ成分同士の軸上近軸光線の高さの差が小さくなる。このような構成により、球面収差やコマ収差の補正分担が第１部分レンズ群Ｌ１Ａ内で容易となるため、好ましい。
【００７６】
条件式（１０）の上限値を超えると、第１部分レンズ群Ｌ１Ａの厚さが第１レンズ群Ｌ１の厚さに対して厚くなる。このとき、第１部分レンズ群Ｌ１Ａ内で軸上近軸光線の高さが大きく変化し、球面収差やコマ収差の補正分担が困難となるため、好ましくない。一方、条件式（１０）の下限値を超えると、第１部分レンズ群Ｌ１Ａの厚さが第１レンズ群Ｌ１の厚さに対して薄くなりすぎる。このとき、第１部分レンズ群Ｌ１Ａ内のレンズの屈折力が小さくなりすぎるため、レンズの全長が長くなって小型化が困難となり好ましくない。
【００７７】
条件式（１０）は、好ましくは次のように設定される。
【００７８】
０．０９＜ｄ１Ａ／ｄ１＜０．５０      …  （１０ａ）
また条件式（１０ａ）は、更に好ましくは次のように設定される。
【００７９】
０．１０＜ｄ１Ａ／ｄ１＜０．４０      …  （１０ｂ）
条件式（１１）は、第２レンズ群Ｌ２の焦点距離に関する。条件式（１１）の上限値を超えると、第２レンズ群Ｌ２の焦点距離が短くなりすぎる。このとき、フォーカシングの際の第２レンズ群Ｌ２の移動量は少なくなるため、レンズの小型化には有効である。しかし、第２レンズ群Ｌ２の屈折力が強くなるため、物体距離に応じて球面収差量やコマ収差量が大きく変化し、この変化を第２レンズ群Ｌ２や他のレンズ群で補正することが困難になるため、好ましくない。一方、条件式（１１）の下限値を超えると、第２レンズ群Ｌ２の焦点距離が長くなりすぎる。このとき、フォーカシングの際の第２レンズ群Ｌ２の移動量が多くなるため、広いスペースが必要となる。このような構成では、レンズの小型化が難しくなるため、好ましくない。
【００８０】
条件式（１１）は、好ましくは次のように設定される。
【００８１】
−０．４００＜ｆ２／ｆ＜−０．０７５  …  （１１ａ）
また条件式（１１ａ）は、更に好ましくは次のように設定される。
【００８２】
−０．３５０＜ｆ２／ｆ＜−０．１００  …  （１１ｂ）
条件式（１２）は、第１部分レンズ群Ｌ１Ａ内の各正レンズ成分の焦点距離バランスに関する。条件式（１２）の上限値または下限値を超えると、第１部分レンズ群Ｌ１Ａ内の屈折力バランスが偏り、収差補正分担が偏る。このとき、敏感度も片方の正レンズ成分が大きくなり、高い製造精度が要求されるため、好ましくない。
【００８３】
条件式（１２）は、好ましくは次のように設定される。
【００８４】
０．５０＜ｆＧ１／ｆＧ２＜２．７５          …  （１２ａ）
また条件式（１２ａ）は、更に好ましくは次のように設定される。
【００８５】
０．５５＜ｆＧ１／ｆＧ２＜２．５０          …  （１２ｂ）
条件式（１３）は、第１レンズ群Ｌ１内の回折光学部Ｄのみによる焦点距離に関する。条件式（１３）の上限値または下限値を超えると、第１レンズ群Ｌ１群内の軸上色収差と倍率色収差の補正バランスがとりづらくなる。このため、軸上色収差か倍率色収差の一方が補正不足、他方が補正過剰になる。このとき、高い光学性能を維持できなくなるため好ましくない。
【００８６】
条件式（１３）は、好ましくは次のように設定される。
【００８７】
７．５＜ｆＤＯＥ／ｆ＜１５０．０            …  （１３ａ）
また条件式（１３ａ）は、更に好ましくは次のように設定される。
【００８８】
１０．０＜ｆＤＯＥ／ｆ＜１００．０          …  （１３ｂ）
以上のとおり、本実施形態の光学系（望遠レンズ）によれば、製造容易で小型および軽量な光学系および撮像装置を提供することができる。
【００８９】
次に、実施例１〜１０の光学系の構成について詳述する。各実施例において、第１レンズ群Ｌ１の少なくとも１つのレンズ面は非球面形状である。第１レンズ群Ｌ１よりも像側に開口絞りＳＰが配置されている。第３レンズ群Ｌ３は、物体側から像側へ順に、固定の第１部分レンズ群Ｌ３１、第２部分レンズ群Ｌ３２、および、固定の第３部分レンズ群Ｌ３３から構成される。第２部分レンズ群Ｌ３２は、光軸ＯＡに直交する方向（矢印ＬＴ）に移動することにより、画像のブレ補正を行うことが可能である。無限遠物体から近距離物体へのフォーカシングは、第２レンズ群Ｌ２を像面側へ光軸上を移動させることで行われる。
【実施例１】
【００９０】
まず、図１（ａ）を参照して、本発明の実施例１における撮影光学系Ｌ０（光学系）について説明する。第１レンズ群Ｌ１は、物体側から像側へ順に、第１部分レンズ群Ｌ１Ａ、第２部分レンズ群Ｌ１Ｂ、および、第３部分レンズ群Ｌ１Ｃで構成されている。第１部分レンズ群Ｌ１Ａにおける２つの正レンズ成分は、いずれも正の屈折力を有する単レンズからなり、物体側から像側へ順に、両凸レンズ、および、物体側に凸形状のメニスカスレンズで構成されている。第２部分レンズ群Ｌ１Ｂは、１つの接合レンズからなり、この接合レンズは、物体側から像側へ順に、負の屈折力を有する物体側に凸形状のメニスカスレンズと、正の屈折力を有する物体側に凸形状のメニスカスレンズとの接合により構成されている。また、この接合レンズは回折光学素子ＤＯＥを構成している。回折光学素子ＤＯＥを構成する回折光学部Ｄは、接合レンズの接合面に配置されている。第３部分レンズ群Ｌ１Ｃは、両凸レンズ１枚で構成されている。
【００９１】
第１部分レンズ群Ｌ１Ａの最も物体側の正レンズと、第３部分レンズ群Ｌ１Ｃの両凸レンズのそれぞれの物体側のレンズ面は、いずれも非球面である。第２レンズ群Ｌ２は、負の屈折力を有する物体側に凸形状のメニスカスレンズで構成されている。また開口絞りＳＰは、開口径可変の開口絞りとして、第２レンズ群Ｌ２と第３レンズ群Ｌ３との間に配置されている。第３レンズ群Ｌ３において、第１部分レンズ群Ｌ３１は、１つの接合レンズからなり、物体側から像側へ順に、負の屈折力を有する物体側に凸形状のメニスカスレンズと両凸レンズとの接合レンズで構成されている。第２部分レンズ群Ｌ３２は、両凸レンズと両凹レンズとを接合して構成された１つの接合レンズと、１つの両凹レンズで構成されている。第３部分レンズ群Ｌ３３は、１つの両凸レンズと、２つの接合レンズで構成されている。物体側の接合レンズは、１つの両凹レンズと１つの両凸レンズからなる接合レンズである。また像側の接合レンズは、１つの両凸レンズと１つの両凹レンズからなる接合レンズである。
【実施例２】
【００９２】
次に、図２（ａ）を参照して、本発明の実施例２における撮影光学系Ｌ０（光学系）について説明する。第１レンズ群Ｌ１は、物体側から像側へ順に、第１部分レンズ群Ｌ１Ａ、第２部分レンズ群Ｌ１Ｂ、および、第３部分レンズ群Ｌ１Ｃで構成されている。第１部分レンズ群Ｌ１Ａにおける２つの正レンズ成分は、いずれも正の屈折力を有する単レンズからなり、物体側から像側へ順に、両凸レンズ、および、物体側に凸形状のメニスカスレンズで構成されている。第２部分レンズ群Ｌ１Ｂは、１つの接合レンズからなり、この接合レンズは、物体側から像側へ順に、負の屈折力を有する物体側に凸形状のメニスカスレンズと、正の屈折力を有する物体側に凸形状のメニスカスレンズとの接合で構成されている。この接合レンズは、回折光学素子ＤＯＥを構成している。回折光学素子ＤＯＥを構成する回折光学部Ｄは、接合レンズの接合面に配置されている。第３部分レンズ群Ｌ１Ｃは、１つの両凸レンズで構成されている。
【００９３】
第１部分レンズ群Ｌ１Ａの最も物体側の正レンズと、第３部分レンズ群Ｌ１Ｃの両凸レンズのそれぞれの物体側のレンズ面は、いずれも非球面である。第２レンズ群Ｌ２は、負の屈折力を有する物体側に凸形状のメニスカスレンズで構成されている。また開口絞りＳＰは、開口径可変の開口絞りとして第２レンズ群Ｌ２と第３レンズ群Ｌ３との間に配置されている。第３レンズ群Ｌ３において、第１部分レンズ群Ｌ３１は、１つの接合レンズからなり、物体側から像側へ順に、負の屈折力を有する物体側に凸形状のメニスカスレンズと両凸レンズとの接合レンズで構成されている。第２部分レンズ群Ｌ３２は、両凸レンズと両凹レンズとを接合して構成された１つの接合レンズと、１つの両凹レンズで構成されている。第３部分レンズ群Ｌ３３は、１つの正の屈折力を有する物体側に凸形状のメニスカスレンズと、２つの接合レンズとで構成されている。２つの接合レンズはいずれも、１つの両凸レンズと１つの両凹レンズからなる接合レンズである。
【実施例３】
【００９４】
次に、図３（ａ）を参照して、本発明の実施例３における撮影光学系Ｌ０（光学系）について説明する。第１レンズ群Ｌ１は、物体側から像側へ順に、第１部分レンズ群Ｌ１Ａ、第２部分レンズ群Ｌ１Ｂ、および、第３部分レンズ群Ｌ１Ｃで構成されている。第１部分レンズ群Ｌ１Ａにおける２つの正レンズ成分は、いずれも正の屈折力を有する単レンズからなり、物体側から像側へ順に、両凸レンズ、および、物体側に凸形状のメニスカスレンズで構成されている。第２部分レンズ群Ｌ１Ｂは、１つの接合レンズからなる。この接合レンズは、物体側から像側へ順に、負の屈折力を有する物体側に凸形状のメニスカスレンズと、正の屈折力を有する物体側に凸形状のメニスカスレンズとの接合で構成されている。また、この接合レンズは回折光学素子ＤＯＥを構成している。回折光学素子ＤＯＥを構成する回折光学部Ｄは、接合レンズの接合面に配置されている。第３部分レンズ群Ｌ１Ｃは、１つの両凸レンズで構成されている。
【００９５】
第１部分レンズ群Ｌ１Ａの最も物体側の正レンズと、第２部分レンズ群Ｌ１Ｂの負の屈折力を有する物体側に凸形状のメニスカスレンズのそれぞれの物体側のレンズ面は、いずれも非球面である。第２レンズ群Ｌ２は、負の屈折力を有する物体側に凸形状のメニスカスレンズで構成されている。また開口絞りＳＰは、開口径可変の開口絞りとして第２レンズ群Ｌ２と第３レンズ群Ｌ３との間に配置されている。第３レンズ群Ｌ３において、第１部分レンズ群Ｌ３１は、１つの接合レンズからなり、物体側から像側へ順に、負の屈折力を有する物体側に凸形状のメニスカスレンズと両凸レンズとの接合レンズで構成されている。第２部分レンズ群Ｌ３２は、両凸レンズと両凹レンズとを接合して構成された１つの接合レンズと、１つの両凹レンズとで構成されている。第３部分レンズ群Ｌ３３は、１つの両凸レンズと、２つの接合レンズとで構成されている。物体側の接合レンズは、１つの両凹レンズと１つの両凸レンズとからなる接合レンズである。また像側の接合レンズは、１つの両凸レンズと１つの負の屈折力を有する像側に凸形状のメニスカスレンズレンズとからなる接合レンズである。
【実施例４】
【００９６】
次に、図４（ａ）を参照して、本発明の実施例４における撮影光学系Ｌ０（光学系）について説明する。第１レンズ群Ｌ１は、物体側から像側へ順に、第１部分レンズ群Ｌ１Ａ、第２部分レンズ群Ｌ１Ｂ、および、第３部分レンズ群Ｌ１Ｃで構成されている。第１部分レンズ群Ｌ１Ａにおける２つの正レンズ成分は、いずれも正の屈折力を有する単レンズからなり、物体側から像側へ順に、両凸レンズ、および、物体側に凸形状のメニスカスレンズで構成されている。第２部分レンズ群Ｌ１Ｂは、１つの接合レンズからなる。この接合レンズは、物体側から像側へ順に、負の屈折力を有する物体側に凸形状のメニスカスレンズと、正の屈折力を有する物体側に凸形状のメニスカスレンズとの接合で構成されている。また、この接合レンズは回折光学素子ＤＯＥを構成している。回折光学素子ＤＯＥを構成する回折光学部Ｄは、接合レンズの接合面に配置されている。第３部分レンズ群Ｌ１Ｃは、１つの両凸レンズで構成されている。
【００９７】
第１部分レンズ群Ｌ１Ａの最も物体側の正レンズの物体側のレンズ面は、非球面である。第２レンズ群Ｌ２は、負の屈折力を有する物体側に凸形状のメニスカスレンズで構成されている。また開口絞りＳＰは、開口径可変の開口絞りとして第２レンズ群Ｌ２と第３レンズ群Ｌ３との間に配置されている。第３レンズ群Ｌ３において、第１部分レンズ群Ｌ３１は、１つの両凸レンズと１つの接合レンズとからなる。この接合レンズは、物体側から像側へ順に、両凸レンズと両凹レンズとの接合で構成されている。第２部分レンズ群Ｌ３２は、両凸レンズと両凹レンズとを接合して構成された１つの接合レンズと、１つの両凹レンズとで構成されている。第３部分レンズ群Ｌ３３は、１つの両凸レンズと、２つの接合レンズとから構成されている。物体側の接合レンズは、１つの両凹レンズと１つの両凸レンズからなる接合レンズである。また像側の接合レンズは、１つの両凸レンズと１つの負の屈折力を有する像側に凸形状のメニスカスレンズからなる接合レンズである。
【実施例５】
【００９８】
次に、図５（ａ）を参照して、本発明の実施例５における撮影光学系Ｌ０（光学系）について説明する。第１レンズ群Ｌ１は、物体側から像側へ順に、第１部分レンズ群Ｌ１Ａ、第２部分レンズ群Ｌ１Ｂ、および、第３部分レンズ群Ｌ１Ｃで構成されている。第１部分レンズ群Ｌ１Ａにおける２つの正レンズ成分は、いずれも正の屈折力を有する単レンズからなり、物体側から像側へ順に、両凸レンズ、および、物体側に凸形状のメニスカスレンズで構成されている。第２部分レンズ群Ｌ１Ｂは、物体側から像側へ順に、１つの負レンズと１つの正レンズとで構成されている。負レンズは負の屈折力を有する物体側に凸形状のメニスカスレンズであり、正レンズは正の屈折力を有する物体側に凸形状のメニスカスレンズである。また、正レンズは回折光学素子ＤＯＥを構成している。回折光学素子ＤＯＥを構成する回折光学部Ｄは、正レンズ成分の物体側の面に配置されている。第３部分レンズ群Ｌ１Ｃは、１つの両凸レンズで構成されている。
【００９９】
第１部分レンズ群Ｌ１Ａの最も物体側の正レンズと、第３部分レンズ群Ｌ１Ｃの両凸レンズのそれぞれの物体側のレンズ面は、いずれも非球面である。第２レンズ群Ｌ２は、負の屈折力を有する物体側に凸形状のメニスカスレンズで構成されている。また開口絞りＳＰは、開口径可変の開口絞りとして、第２レンズ群Ｌ２と第３レンズ群Ｌ３との間に配置されている。第３レンズ群Ｌ３において、第１部分レンズ群Ｌ３１は、１つの接合レンズからなり、物体側から像側へ順に、負の屈折力を有する物体側に凸形状のメニスカスレンズと両凸レンズとの接合レンズで構成されている。第２部分レンズ群Ｌ３２は、両凸レンズと両凹レンズとを接合して構成された１つの接合レンズと、１つの両凹レンズで構成されている。第３部分レンズ群Ｌ３３は、１つの両凸レンズと、２つの接合レンズとで構成されている。物体側の接合レンズは、１つの両凹レンズと１つの両凸レンズからなる接合レンズである。また像側の接合レンズは、１つの両凸レンズと１つの両凹レンズとからなる接合レンズである。
【実施例６】
【０１００】
次に、図６（ａ）を参照して、本発明の実施例６における撮影光学系Ｌ０（光学系）について説明する。第１レンズ群Ｌ１は、物体側から像側へ順に、第１部分レンズ群Ｌ１Ａ、第２部分レンズ群Ｌ１Ｂ、および、第３部分レンズ群Ｌ１Ｃで構成されている。第１部分レンズ群Ｌ１Ａにおける２つの正レンズ成分のうち、物体側の正レンズ成分は、２つの正レンズを接合した接合レンズで構成されている。また像側の正レンズ成分は、正の屈折力を有する物体側に凸形状のメニスカスレンズで構成されている。この接合レンズは、回折光学素子ＤＯＥを構成している。回折光学素子ＤＯＥを構成する回折光学部Ｄは、接合レンズの接合面に配置されている。第２部分レンズ群Ｌ１Ｂは、１つの接合レンズからなる。この接合レンズは、物体側から順に負の屈折力を有する物体側に凸形状のメニスカスレンズと、正の屈折力を有する物体側に凸形状のメニスカスレンズとの接合で構成されている。第３部分レンズ群Ｌ１Ｃは、物体側に凸形状を有する１つのメニスカスレンズで構成されている。
【０１０１】
第１部分レンズ群Ｌ１Ａの最も像側の正レンズと、第３部分レンズ群Ｌ１Ｃのメニスカスレンズとのそれぞれの物体側のレンズ面は、いずれも非球面である。第２レンズ群Ｌ２は、負の屈折力を有する物体側に凸形状のメニスカスレンズで構成されている。また開口絞りＳＰは、開口径可変の開口絞りとして、第２レンズ群Ｌ２と第３レンズ群Ｌ３との間に配置されている。第３レンズ群Ｌ３において、第１部分レンズ群Ｌ３１は、１つの接合レンズからなり、物体側から順に負の屈折力を有する物体側に凸形状のメニスカスレンズと両凸レンズとの接合レンズで構成されている。第２部分レンズ群Ｌ３２は、両凸レンズと両凹レンズとを接合した１つの接合レンズと、１つの両凹レンズとで構成されている。第３部分レンズ群Ｌ３３は、１つの両凸レンズと、２つの接合レンズとで構成されている。物体側の接合レンズは、１つの両凹レンズと１つの両凸レンズとからなる接合レンズである。また像側の接合レンズは、１つの両凸レンズと１つの両凹レンズとからなる接合レンズである。
【実施例７】
【０１０２】
次に、図７（ａ）を参照して、本発明の実施例７における撮影光学系Ｌ０（光学系）について説明する。第１レンズ群Ｌ１は、物体側から像側へ順に、第１部分レンズ群Ｌ１Ａ、第２部分レンズ群Ｌ１Ｂ、および、第３部分レンズ群Ｌ１Ｃで構成されている。第１部分レンズ群Ｌ１Ａにおける２つの正レンズ成分は、いずれも正の屈折力を有する単レンズからなり、物体側から像側へ順に、両凸レンズ、および、物体側に凸形状のメニスカスレンズで構成されている。第２部分レンズ群Ｌ１Ｂは、１つの接合レンズからなる。この接合レンズは、物体側から像側へ順に、負の屈折力を有する物体側に凸形状のメニスカスレンズと、正の屈折力を有する物体側に凸形状のメニスカスレンズとの接合で構成されている。また、この接合レンズは回折光学素子ＤＯＥを構成している。回折光学素子ＤＯＥを構成する回折光学部Ｄは、接合レンズの接合面に配置されている。第３部分レンズ群Ｌ１Ｃは、物体側から像側へ順に、負の屈折力を有する物体側に凸形状のメニスカスレンズと両凸レンズとからなる１つの接合レンズで構成されている。
【０１０３】
第１部分レンズ群Ｌ１Ａの最も物体側の正レンズの物体側のレンズ面と、第３部分レンズ群Ｌ１Ｃの負の屈折力を有するメニスカスレンズの最も物体側の空気に接するレンズ面は、いずれも非球面である。第２レンズ群Ｌ２は、負の屈折力を有する物体側に凸形状のメニスカスレンズで構成されている。また開口絞りＳＰは、開口径可変の開口絞りとして、第２レンズ群Ｌ２と第３レンズ群Ｌ３との間に配置されている。第３レンズ群Ｌ３において、第１部分レンズ群Ｌ３１は、１つの接合レンズからなり、物体側から像側へ順に、負の屈折力を有する物体側に凸形状のメニスカスレンズと両凸レンズとの接合レンズで構成されている。第２部分レンズ群Ｌ３２は、両凸レンズと両凹レンズとを接合した１つの接合レンズ、および、１つの両凹レンズで構成されている。第３３レンズ群Ｌ３３は、１つの両凸レンズと、２つの接合レンズとで構成されている。物体側の接合レンズは、１つの両凹レンズと１つの両凸レンズとからなる接合レンズである。また像側の接合レンズは、１つの両凸レンズと１つの両凹レンズとからなる接合レンズである。
【実施例８】
【０１０４】
次に、図８（ａ）を参照して、本発明の実施例８における撮影光学系Ｌ０（光学系）について説明する。第１レンズ群Ｌ１は、物体側から像側へ順に、第１部分レンズ群Ｌ１Ａ、第２部分レンズ群Ｌ１Ｂ、および、第３部分レンズ群Ｌ１Ｃで構成されている。第１部分レンズ群Ｌ１Ａにおける２つの正レンズ成分は、いずれも正の屈折力を有する両凸単レンズで構成されている。本実施例は、第１部分レンズ群Ｌ１Ａの２つのレンズ（レンズ成分）の間隔を広げることにより、第１部分レンズ群Ｌ１Ａ内の敏感度の分担だけでなく、像側のレンズの径小化を図っている。第２部分レンズ群Ｌ１Ｂは、１つの接合レンズからなる。この接合レンズは、物体側から像側へ順に、負の屈折力を有する物体側に凸形状のメニスカスレンズと、正の屈折力を有する物体側に凸形状のメニスカスレンズとの接合で構成されている。また、この接合レンズは回折光学素子ＤＯＥを構成している。回折光学素子ＤＯＥを構成する回折光学部Ｄは、接合レンズの接合面に配置されている。第３部分レンズ群Ｌ１Ｃは、１つの両凸レンズで構成されている。
【０１０５】
第１部分レンズ群Ｌ１Ａの最も物体側の正レンズと、第３部分レンズ群Ｌ１Ｃの両凸レンズのそれぞれの物体側のレンズ面は、いずれも非球面である。第２レンズ群Ｌ２は、負の屈折力を有する物体側に凸形状のメニスカスレンズで構成されている。また開口絞りＳＰは、開口径可変の開口絞りとして、第２レンズ群Ｌ２と第３レンズ群とＬ３の間に配置されている。第３レンズ群Ｌ３において、第１部分レンズ群Ｌ３１は、１つの接合レンズからなり、物体側から像側へ順に、負の屈折力を有する物体側に凸形状のメニスカスレンズおよび両凸レンズの接合レンズで構成されている。第２部分レンズ群Ｌ３２は、両凸レンズと両凹レンズとを接合した１つの接合レンズと、１つの両凹レンズとで構成されている。第３部分レンズ群Ｌ３３は、１つの両凸レンズと、２つの接合レンズとで構成されている。物体側の接合レンズは、１つの両凹レンズと１つの両凸レンズとからなる接合レンズである。また像側の接合レンズは、１つの両凸レンズと１つの両凹レンズとからなる接合レンズである。
【実施例９】
【０１０６】
次に、図９（ａ）を参照して、本発明の実施例９における撮影光学系Ｌ０（光学系）について説明する。第１レンズ群Ｌ１は、物体側から像側へ順に、第１部分レンズ群Ｌ１Ａ、第２部分レンズ群Ｌ１Ｂ、および、第３部分レンズ群Ｌ１Ｃで構成されている。第１部分レンズ群Ｌ１Ａにおける２つの正レンズ成分は、いずれも正の屈折力を有する単レンズからなり、物体側から像側へ順に、両凸レンズ、および、物体側に凸形状のメニスカスレンズで構成されている。第２部分レンズ群Ｌ１Ｂは、１つの接合レンズからなる。この接合レンズは、物体側から像側へ順に、負の屈折力を有する物体側に凸形状のメニスカスレンズと、正の屈折力を有する物体側に凸形状のメニスカスレンズとの接合で構成されている。第３部分レンズ群Ｌ１Ｃは、１つの両凸レンズで構成されている。
【０１０７】
第１部分レンズ群Ｌ１Ａの最も物体側の正レンズの物体側のレンズ面は、非球面である。第２レンズ群Ｌ２は、負の屈折力を有する両凹レンズで構成されている。また開口絞りＳＰは、開口径可変の開口絞りとして、第２レンズ群Ｌ２と第３レンズ群Ｌ３との間に配置されている。第３レンズ群Ｌ３において、第１部分レンズ群Ｌ３１は、１つの両凸レンズと１つの接合レンズとからなる。この接合レンズは、物体側から像側へ順に、両凸レンズと両凹レンズとの接合で構成されている。第２部分レンズ群Ｌ３２は、両凸レンズと両凹レンズとを接合した１つの接合レンズ、および、１つの両凹レンズで構成されている。第３部分レンズ群Ｌ３３は、１つの両凸レンズと、２つの接合レンズとで構成されている。物体側の接合レンズは、１つの両凹レンズと１つの両凸レンズとからなる接合レンズである。また像側の接合レンズは、１つの両凸レンズと１つの負の屈折力を有する像側に凸形状のメニスカスレンズとからなる接合レンズである。
【実施例１０】
【０１０８】
次に、図１０（ａ）を参照して、本発明の実施例１０における撮影光学系Ｌ０（光学系）について説明する。第１レンズ群Ｌ１は、物体側から像側へ順に、第１部分レンズ群Ｌ１Ａ、第２部分レンズ群Ｌ１Ｂ、および、第３部分レンズ群Ｌ１Ｃで構成されている。第１部分レンズ群Ｌ１Ａにおける２つの正レンズ成分は、いずれも正の屈折力を有する単レンズからなり、物体側から像側へ順に、両凸レンズ、および、物体側に凸形状のメニスカスレンズで構成されている。第２部分レンズ群Ｌ１Ｂは、１つの接合レンズからなる。この接合レンズは、物体側から像側へ順に、負の屈折力を有する物体側に凸形状のメニスカスレンズと、正の屈折力を有する物体側に凸形状のメニスカスレンズとの接合で構成されている。また、この接合レンズは回折光学素子ＤＯＥを構成している。回折光学素子ＤＯＥを構成する回折光学部Ｄは、接合レンズの接合面に配置されている。第３部分レンズ群Ｌ１Ｃは、２つの両凸レンズで構成されている。
【０１０９】
第１部分レンズ群Ｌ１Ａの最も物体側の正レンズの物体側のレンズ面と、第３部分レンズ群Ｌ１Ｃの両凸レンズのうち像側の両凸レンズのそれぞれの物体側のレンズ面は、いずれも非球面である。第２レンズ群Ｌ２は、負の屈折力を有する物体側に凸形状のメニスカスレンズで構成されている。また開口絞りＳＰは、開口径可変の開口絞りとして、第２レンズ群Ｌ２と第３レンズ群Ｌ３との間に配置されている。第３レンズ群Ｌ３において、第１部分レンズ群Ｌ３１は、１つの接合レンズからなり、物体側から像側へ順に、負の屈折力を有する物体側に凸形状のメニスカスレンズと両凸レンズとの接合レンズで構成されている。第２部分レンズ群Ｌ３２は、両凸レンズと両凹レンズとを接合した１つの接合レンズ、および、１つの両凹レンズで構成されている。第３部分レンズ群Ｌ３３は、１つの両凸レンズと、２つの接合レンズとで構成されている。物体側の接合レンズは、１つの両凹レンズと１つの両凸レンズとからなる接合レンズである。また像側の接合レンズは、１つの両凸レンズと１つの両凹レンズとからなる接合レンズである。
【０１１０】
実施例１〜８、１０において、回折光学部Ｄは光学面の上に施されているが、そのベースは球面、平面、または、非球面のいずれでもよい。また回折光学部Ｄは、それらの光学面にプラスチックなどの膜を回折光学部（回折面）として添付する方法である所謂レプリカで作成してもよい。回折格子の形状について、その２ｉ次項の位相係数をＣ２ｉとしたとき、光軸ＯＡからの距離Ｈにおける位相φ（Ｈ）は以下の式（１４）で表される。ただし、ｍは回折次数、λ０は基準波長である。
【０１１１】
【数４】
0005822649.tif 000005
【０１１２】
以下に、実施例１〜１０に対応する数値実施例１〜１０を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉはそれぞれ、第ｉ番目の光学部材の屈折率とアッベ数である。ｆ、Ｆｎｏ、２ωはそれぞれ、無限遠物体に焦点を合わせたときの全系の焦点距離、Ｆナンバー、画角（度）を表している。各数値実施例において、最も像側の２つの面はフィルター等のガラスブロックＧである。回折光学素子（回折面）は、式（１４）の位相関数の位相係数を与えることで表される。非球面形状は、光軸方向にＸ軸、光軸と垂直方向にＨ軸、光の進行方向を正、Ｒを近軸曲率半径、ｋを離心率、Ａ４、Ａ６、Ａ８、Ａ１０を各々非球面係数としたとき、以下の式（１５）で表される。
【０１１３】
【数５】
0005822649.tif 000006
【０１１４】
以下の各数値実施例において、例えば「ｅ−Ｚ」の表示は「１０−Ｚ」を意味する。また、前述の各条件式と数値実施例における諸数値との関係を表１に示す。
【０１１５】
（数値実施例１）
f= 584.99mm  Fno= 4.12  ２ω=4.24
面番号        r        d      nd         vd       有効径
1(非球面)1425.908   12.50   1.48749    70.2      141.99
2        -311.309    0.50                        141.95
3         124.218   16.27   1.43387    95.1      134.78
4         339.103   91.63                        133.15
5         102.812    4.20   1.88300    40.8       76.77
6(回折)    47.706   12.03   1.49700    81.5       68.78
7         102.344   55.55                         67.50
8(非球面) 203.592    7.00   1.48749    70.2       53.35
9        -152.884    3.00                         52.54
10        1256.465    3.00   1.57099    50.8       49.09
11          73.366   50.00                         46.46
12(絞り)     ∞      11.00                         34.64
13         131.621    2.00   1.83481    42.7       31.59
14          60.828    6.44   1.48749    70.2       30.83
15        -131.730    3.00                         30.16
16         101.237    4.45   1.75520    27.5       29.66
17         -92.416    1.70   1.69680    55.5       29.33
18          44.393    4.95                         28.47
19        -108.847    2.00   1.69680    55.5       28.79
20         100.753    4.00                         29.70
21          94.758    5.16   1.61340    44.3       32.37
22        -203.567    3.00                         33.08
23         -86.220    2.00   1.59282    68.6       33.63
24          59.455    8.64   1.61340    44.3       35.67
25         -90.999    0.30                         36.90
26          69.415    7.65   1.74950    35.3       38.07
27         -85.492    2.00   1.80809    22.8       37.75
28         132.912    5.00                         37.26
29           ∞       2.00   1.51633    64.1       37.49
30           ∞                                    37.58
非球面データ
第1面
K = 0.00000e+000  A 4=-2.22863e-008  A 6=-1.16043e-013  A 8= 1.86005e-017
A10=-1.33160e-021  
第8面
K = 7.17684e-001  A 4= 1.54167e-007  A 6= 5.45588e-011  A 8= 8.37024e-015
A10= 3.83835e-018  
第6面(回折面)
C 2=-3.97172e-005  C 4=-1.98571e-009  C 6=-7.88332e-014  C 8=-9.18191e-015  
C10= 1.97271e-017  C12=-1.61384e-020  C14= 2.61850e-024  C16= 3.99737e-027  
C18=-2.31155e-030  C20= 3.18692e-034  
各種データ
ズーム比      1.00 
焦点距離     584.99  
Fナンバー      4.12  
画角           2.12  
像高          21.64  
レンズ全長   420.00  
BF            89.03  
入射瞳位置  1246.91  
射出瞳位置   -68.36  
前側主点位置-342.50  
後側主点位置-495.96  
レンズ群データ
群  始面    焦点距離  レンズ構成長  前側主点位置  後側主点位置
L1    1     234.00       199.68       150.47       -151.28
L1A   1     238.87        29.27         4.53        -15.50
L1B   5    -249.72        16.23        17.08          6.25
L1C   8     180.27         7.00         2.71         -2.03
L2   10    -136.58         3.00         2.03          0.12
L12   1     542.72       205.68      -470.63       -362.41
L3   12    3697.55        75.29       397.48        377.00
L31  12     230.60        19.44        14.22         -2.27
L32  16     -48.22        13.10         8.66         -1.19
L33  21      71.81        35.74         5.87        -19.16
単レンズデータ
レンズ  始面  焦点距離
1       1    525.40
2       3    441.69
3       5   -105.40
4       6    165.27
5       8    180.27
6      10   -136.58
7      13   -137.24
8      14     86.31
9      16     64.61
10      17    -42.82
11      19    -74.80
12      21    106.11
13      23    -59.06
14      24     59.93
15      26     52.22
16      27    -64.12
G      29      0.00
無限遠物体にフォーカシングしたときの第１レンズ群内の各レンズより後ろのβ
β２＝1.113423（面番号３〜３０までの横倍率）
β３＝2.448971（面番号５〜３０までの横倍率）
β４＝1.324612（面番号８〜３０までの横倍率）
第１レンズ群と第２レンズ群の合成焦点距離
f12=542.72
（数値実施例２）
f= 779.99mm  Fno= 5.80  ２ω=3.18
面データ
面番号       r        d      nd         vd       有効径
1(非球面)760.484    9.29   1.48749    70.2      134.48
2       -629.161    0.50                        134.34
3        125.070   19.02   1.43387    95.1      130.40
4        898.095  100.00                        128.98
5        282.886    5.00   1.88300    40.8       66.45
6(回折)   49.572   13.67   1.48749    70.2       60.58
7        940.062   60.42                         59.90
8(非球面)359.016    4.40   1.56732    42.8       45.75
9       -160.298    5.00                         45.34
10       3633.709    2.70   1.69680    55.5       42.00
11         80.945   55.00                         40.47
12(絞り)    ∞      11.00                         32.99
13         80.833    1.88   1.80000    29.8       31.21
14         42.298    7.81   1.48749    70.2       30.40
15       -104.869   10.63                         29.82
16         67.224    4.07   1.84666    23.8       27.36
17       -168.460    1.94   1.69680    55.5       26.85
18         36.399    5.78                         25.51
19        -94.203    1.90   1.80400    46.6       25.62
20         83.399    3.00                         26.17
21         69.721    3.65   1.67270    32.1       28.02
22        783.971    5.00                         28.35
23         87.512    8.46   1.65412    39.7       29.98
24        -31.310    2.00   1.59282    68.6       30.04
25         52.243    2.95                         29.86
26         50.103    9.71   1.61340    44.3       30.92
27        -39.939    2.00   1.80809    22.8       30.71
28        645.254    3.17                         30.95
29          ∞       2.20   1.51633    64.1       31.31
30          ∞                                    31.48
非球面データ
第1面
K = 4.82173e+000  A 4=-1.49499e-008  A 6=-1.24684e-014  A 8=-4.89473e-017
A10= 8.45086e-021  A12=-6.23176e-025
第8面
K = 0.00000e+000  A 4= 1.93136e-007  A 6= 6.98495e-011  A 8= 8.70070e-015
A10=-3.33610e-018
第6面(回折面)
C 2=-4.36096e-005  C 4=-2.92033e-009  C 6=-3.19078e-012  C 8= 9.75558e-015
C10=-1.47010e-017  C12= 3.90012e-021  C14= 7.80322e-024  C16=-7.97276e-028
C18=-7.55830e-030  C20= 3.47923e-033
各種データ
ズーム比      1.00 
焦点距離     779.99  
Fナンバー      5.80  
画角           1.59  
像高          21.64  
レンズ全長   460.00  
BF            97.84  
入射瞳位置   1538.32  
射出瞳位置    -62.02  
前側主点位置-1487.36  
後側主点位置 -682.14  
レンズ群データ
群  始面    焦点距離  レンズ構成長  前側主点位置  後側主点位置
L1     1     273.46       212.30       157.08       -184.05
L1A    1     226.46        28.81         4.24        -15.68
L1B    5    -190.80        18.67         5.19         -6.67
L1C    8     195.94         4.40         1.95         -0.87
L2    10    -118.85         2.70         1.63          0.04
L12    1     900.89       220.00     -1288.30       -628.16
L3    12   -8991.20        87.15      1611.47       1304.53
L31   12     140.40        20.69        14.05         -3.36
L32   16     -43.68        13.69        10.74          0.05
L33   21      73.25        39.15        -0.57        -27.74
単レンズデータ
レンズ  始面  焦点距離
1       1    707.84
2       3    332.43
3       5    -69.17
4       6    105.82
5       8    195.94
6      10   -118.85
7      13   -113.37
8      14     62.92
9      16     57.20
10      17    -42.79
11      19    -54.76
12      21    113.53
13      23     36.27
14      24    -32.73
15      26     37.78
16      27    -46.48
G      29      0.00
無限遠物体にフォーカシングしたときの第１レンズ群内の各レンズより後ろのβ
β２＝1.101926（面番号３〜３０までの横倍率）
β３＝3.444245（面番号５〜３０までの横倍率）
β４＝1.538185（面番号８〜３０までの横倍率）
第１レンズ群と第２レンズ群の合成焦点距離
f12=900.89
（数値実施例３）
f= 488.99mm  Fno= 4.11  ２ω=5.06
面データ
面番号       r        d      nd         vd       有効径
1(非球面)397.304   11.65   1.48749    70.2      119.00
2       -321.651    0.10                        118.83
3         89.445   17.70   1.43387    95.1      111.04
4        417.367   46.80                        109.72
5        566.564    3.70   1.74400    44.8       72.01
6(回折)   52.701   10.93   1.49700    81.5       64.86
7        231.836   20.44                         64.11
8        106.515    5.88   1.43387    95.1       54.99
9       -479.033    2.00                         54.31
10        906.815    2.50   1.60311    60.6       52.01
11         81.685   56.31                         49.27
12(絞り)    ∞       5.00                         30.29
13        196.626    1.80   1.80518    25.4       28.30
14         59.058    4.73   1.48749    70.2       27.53
15       -128.564    3.00                         27.00
16        139.299    4.15   1.80518    25.4       26.43
17        -54.600    1.61   1.74320    49.3       26.24
18         49.923    3.44                         25.63
19       -126.502    1.50   1.77250    49.6       25.83
20         70.386    3.00                         26.48
21         64.380    4.38   1.69895    30.1       28.80
22       -189.604   19.56                         29.20
23        -59.603    2.00   1.59282    68.6       32.78
24         35.328    8.62   1.61340    44.3       35.88
25       -113.243    0.50                         36.58
26         93.777    8.70   1.65412    39.7       37.79
27        -41.426    1.80   1.80809    22.8       37.83
28       -271.651    5.00                         38.41
29          ∞       2.20   1.51633    64.1       38.82
30          ∞                                    38.92
非球面データ
第1面
K =-5.25189e+000  A 4=-2.00466e-008  A 6=-3.28508e-013  A 8=-4.41786e-017
A10= 1.72103e-020  A12=-1.76288e-024
第6面(回折面)
C 2=-4.26153e-005  C 4= 6.04917e-009  C 6=-4.17415e-012  C 8= 5.65636e-015
C10=-1.30431e-018
各種データ
ズーム比      1.00 
焦点距離     488.99  
Fナンバー      4.11  
画角           2.53  
像高          21.64  
レンズ全長   320.00  
BF            61.00  
入射瞳位置   797.52  
射出瞳位置   -82.46  
前側主点位置-380.30  
後側主点位置-427.99  
レンズ群データ
群  始面    焦点距離  レンズ構成長  前側主点位置  後側主点位置
L1    1     170.17       117.19        27.77        -94.86
L1A   1     151.56        29.45         4.54        -15.58
L1B   5    -183.00        14.63         5.51         -3.87
L1C   8     201.45         5.88         0.75         -3.36
L2   10    -149.02         2.50         1.72          0.15
L12   1     327.53       121.69      -188.91       -189.58
L3   12    -453.91        81.00       -68.23       -162.76
L31  12     395.38        11.53         9.16         -0.03
L32  16     -39.97        10.70         6.87         -0.74
L33  21      64.98        52.77        10.11        -36.69
単レンズデータ
レンズ  始面  焦点距離
1       1    366.57
2       3    258.17
3       5    -78.87
4       6    132.96
5       8    201.45
6      10   -149.02
7      13   -105.45
8      14     83.70
9      16     49.19
10      17    -34.86
11      19    -58.35
12      21     69.25
13      23    -37.12
14      24     44.89
15      26     45.07
16      27    -60.70
G      29      0.00
無限遠物体にフォーカシングしたときの第１レンズ群内の各レンズより後ろのβ
β２＝1.333982（面番号３〜３０までの横倍率）
β３＝3.226446（面番号５〜３０までの横倍率）
β４＝1.751301（面番号８〜３０までの横倍率）
第１レンズ群と第２レンズ群の合成焦点距離
f12=327.53
（数値実施例４）
f= 488.99mm  Fno= 5.70  ２ω=5.06
面データ
面番号       r        d      nd         vd       有効径
1(非球面)476.765    5.51   1.48749    70.2       85.79
2       -496.821    0.10                         85.71
3         86.888   12.32   1.43387    95.1       83.85
4       1853.868   51.65                         83.00
5         90.286    3.70   1.88300    40.8       50.28
6(回折)   32.248    6.91   1.48749    70.2       44.86
7         60.844    2.00                         44.28
8         40.608    8.91   1.48749    70.2       44.05
9       -256.977    2.58                         43.39
10       9408.721    2.50   1.51633    64.1       40.64
11         49.085   41.01                         37.56
12(絞り)    ∞      11.00                         25.16
13        826.153    2.99   1.48749    70.2       22.19
14        -55.391    1.00                         22.18
15         83.489    3.17   1.62588    35.7       21.59
16        -53.280    2.00   1.88300    40.8       21.27
17         56.342    2.66                         20.70
18        131.220    3.39   1.75520    27.5       20.84
19        -37.001    1.61   1.72916    54.7       20.80
20         48.804    2.17                         20.63
21       -217.467    1.50   1.80400    46.6       20.83
22         58.202    3.00                         21.33
23         52.904    4.46   1.60342    38.0       23.59
24        -91.286    8.01                         24.10
25        -44.923    2.00   1.59282    68.6       25.41
26         23.379    7.31   1.61340    44.3       28.29
27       -216.829    6.32                         28.92
28         78.516    8.73   1.65412    39.7       32.46
29        -29.747    1.80   1.80809    22.8       32.62
30       -151.555    2.50                         33.63
31          ∞       2.20   1.51633    64.1       34.10
32          ∞                                    34.30
非球面データ
第1面
K =-1.52607e+001  A 4=-6.59962e-008  A 6=-2.12194e-012  A 8=-1.84794e-016
A10= 1.68254e-019  A12=-5.13172e-023
第6面(回折面)
C 2=-4.43400e-005  C 4=-1.57083e-008  C 6= 1.79439e-011  C 8=-1.39118e-013
C10= 3.83592e-016  C12=-1.31338e-019  C14=-1.17696e-021  C16= 9.23351e-026
C18= 5.32235e-027  C20=-5.58119e-030
各種データ
ズーム比      1.00 
焦点距離     488.99  
Fナンバー      5.70  
画角           2.53  
像高          21.64  
レンズ全長   280.01  
BF            65.01  
入射瞳位置   493.65  
射出瞳位置   -74.70  
前側主点位置-728.94  
後側主点位置-423.99  
レンズ群データ
群  始面    焦点距離  レンズ構成長  前側主点位置  後側主点位置
L1    1     115.20        91.09        37.12        -59.06
L1A   1     148.05        17.92         2.93         -9.46
L1B   5     -99.00        10.61         7.70          0.91
L1C   8      72.65         8.91         0.83         -5.22
L2   10     -95.57         2.50         1.66          0.01
L12   1     252.13        96.17      -129.86       -138.52
L3   12    -147.48        77.83         1.16        -73.55
L31  12    -383.32        20.16        40.12         21.57
L32  18     -38.62         8.67         5.53         -0.41
L33  23      62.99        43.33         9.14        -27.63
単レンズデータ
レンズ  始面  焦点距離
1       1    500.00
2       3    209.67
3       5    -58.86
4       6    128.88
5       8     72.65
6      10    -95.57
7      13    106.60
8      15     52.43
9      16    -30.75
10      18     38.55
11      19    -28.64
12      21    -56.97
13      23     56.16
14      25    -25.66
15      26     34.81
16      28     34.07
17      29    -46.11
G      31      0.00
無限遠物体にフォーカシングしたときの第１レンズ群内の各レンズより後ろのβ
β２＝0.977984（面番号３〜３２までの横倍率）
β３＝3.302878（面番号５〜３２までの横倍率）
β４＝0.659209（面番号８〜３２までの横倍率）
第１レンズ群と第２レンズ群の合成焦点距離
f12=252.13
（数値実施例５）
f= 584.96mm  Fno= 4.12  ２ω=4.24
面データ
面番号       r        d      nd         vd       有効径
1(非球面)1425.908   12.50   1.48749    70.2      141.98
2        -317.829    0.50                        141.94
3         122.327   17.01   1.43387    95.1      134.85
4         358.155   89.77                        133.20
5         113.474    4.20   1.88300    40.8       76.69
6          49.809    1.00                         69.04
7(回折)    50.547   12.28   1.49700    81.5       69.34
8         116.003   54.76                         67.94
9(非球面) 203.033    7.00   1.48749    70.2       53.29
10        -157.576    3.02                         52.44
11        1225.729    3.00   1.57099    50.8       49.03
12          72.112   50.00                         46.37
13(絞り)     ∞      11.00                         34.83
14         133.313    2.00   1.83481    42.7       31.84
15          61.741    6.49   1.48749    70.2       31.10
16        -127.049    3.62                         30.44
17          99.543    4.71   1.75520    27.5       29.83
18         -94.492    1.70   1.69680    55.5       29.46
19          44.211    4.94                         28.58
20        -108.848    2.00   1.69680    55.5       28.88
21          98.332    4.00                         29.79
22          90.988    5.11   1.61340    44.3       32.51
23        -241.435    3.00                         33.20
24         -91.605    2.00   1.59282    68.6       33.76
25          58.647    8.52   1.61340    44.3       35.77
26         -97.149    0.30                         36.97
27          72.390    7.70   1.74950    35.3       38.13
28         -78.081    2.00   1.80809    22.8       37.87
29         156.067    5.00                         37.47
30           ∞       2.00   1.51633    64.1       37.71
31           ∞                                    37.79
非球面データ
第1面
K = 0.00000e+000  A 4=-2.17713e-008  A 6=-1.17506e-013  A 8= 2.06838e-017
A10=-1.46626e-021
第9面
K =-4.12136e-001  A 4= 1.36972e-007  A 6= 2.28578e-011  A 8= 4.64410e-014
A10=-3.25549e-017
第7面(回折面)
C 2=-3.92880e-005  C 4=-1.43250e-009  C 6=-3.78534e-013  C 8=-9.84054e-015
C10= 2.02008e-017  C12=-1.58310e-020  C14= 2.54095e-024  C16= 3.71644e-027
C18=-2.49284e-030  C20= 4.95371e-034
各種データ
ズーム比      1.00 
焦点距離     584.96  
Fナンバー      4.12  
画角           2.12  
像高          21.64  
レンズ全長   420.00  
BF            88.88  
入射瞳位置  1243.92  
射出瞳位置   -69.49  
前側主点位置-331.67  
後側主点位置-496.08  
レンズ群データ
群  始面    焦点距離  レンズ構成長  前側主点位置  後側主点位置
L1    1     234.00       199.02       148.69       -151.38
L1A   1     233.89        30.01         4.66        -15.89
L1B   5    -247.00        17.48        13.96          2.30
L1C   9     183.16         7.00         2.67         -2.07
L2   11    -134.31         3.00         2.03          0.12
L12   1     553.84       205.04      -496.35       -370.13
L3   13    2425.80        76.08       262.78        225.21
L31  13     223.49        19.49        14.33         -2.18
L32  17     -48.06        13.35         8.92         -1.08
L33  22      71.59        35.62         6.05        -18.98
単レンズデータ
レンズ  始面  焦点距離
1       1    534.39
2       3    419.05
3       5   -103.75
4       7    167.37
5       9    183.16
6      11   -134.31
7      14   -139.53
8      15     86.20
9      17     64.87
10      18    -43.01
11      20    -73.85
12      22    108.37
13      24    -60.02
14      25     60.88
15      27     51.24
16      28    -64.16
G      30      0.00
無限遠物体にフォーカシングしたときの第１レンズ群内の各レンズより後ろのβ
β２＝1.094631（面番号３〜３１までの横倍率）
β３＝2.500983（面番号５〜３１までの横倍率）
β４＝-0.491275（面番号７〜３１までの横倍率）
β５＝1.343973（面番号９〜３１までの横倍率）
第１レンズ群と第２レンズ群の合成焦点距離
f12=553.84
（数値実施例６）
f= 584.97mm  Fno= 4.12  ２ω=4.24
面データ
面番号       r        d      nd         vd       有効径
1        475.006    8.35   1.48749    70.2      141.98
2(回折)    ∞       5.19   1.48749    70.2      141.69
3      -1142.700    0.50                        141.38
4(非球面)129.022   19.00   1.43387    95.1      136.74
5        701.235   97.45                        135.26
6        254.903    4.20   1.88300    40.8       73.94
7         66.635   10.78   1.49700    81.5       68.75
8        326.434   46.12                         67.86
9(非球面) 80.814    7.00   1.48749    70.2       51.43
10        515.314    3.31                         49.91
11       3420.780    3.00   1.57099    50.8       48.17
12         65.915   50.00                         45.44
13(絞り)    ∞      11.00                         36.06
14        122.164    2.00   1.83481    42.7       33.58
15         63.945    6.99   1.48749    70.2       32.87
16       -107.850   11.60                         32.26
17        116.288    4.76   1.75520    27.5       29.30
18        -78.632    1.70   1.69680    55.5       28.96
19         47.798    4.66                         28.17
20       -110.245    2.00   1.69680    55.5       28.44
21         80.015    4.00                         29.32
22         80.693    5.08   1.61340    44.3       32.11
23       -360.442    3.00                         32.80
24       -104.034    2.00   1.59282    68.6       33.41
25        138.445    6.49   1.61340    44.3       34.80
26       -118.722    0.30                         36.03
27         87.149    7.46   1.74950    35.3       37.14
28        -68.989    2.00   1.80809    22.8       37.09
29        437.741    5.00                         37.09
30          ∞       2.00   1.51633    64.1       37.41
31          ∞                                    37.50
非球面データ
第4面
K =-6.37689e-002  A 4=-7.34265e-009  A 6=-6.89356e-013  A 8= 2.40665e-017
A10=-5.82211e-021  A12= 1.47896e-025
第9面
K =-7.99756e-002  A 4=-1.91383e-008  A 6= 5.02829e-012  A 8= 1.89373e-015
A10= 2.13329e-019
第2面(回折面)
C 2=-9.85284e-006  C 4= 2.07729e-010  C 6=-2.25860e-014  C 8=-1.11708e-017
C10= 2.28295e-021  C12= 1.98737e-025  C14=-2.13222e-029  C16=-7.53789e-033
C18=-2.63284e-037  C20= 1.49734e-040
各種データ
ズーム比      1.00 
焦点距離     584.97  
Fナンバー      4.12  
画角           2.12  
像高          21.64  
レンズ全長   419.89  
BF            82.96  
入射瞳位置   1225.69  
射出瞳位置    -77.14  
前側主点位置 -326.72  
後側主点位置 -502.01  
レンズ群データ
群  始面    焦点距離  レンズ構成長  前側主点位置  後側主点位置
L1    1     234.00       198.58       125.65       -152.62
L1A   1     236.74        33.03         5.31        -17.45
L1B   6    -261.80        14.98         7.18         -2.28
L1C   9     195.58         7.00        -0.87         -5.55
L2   11    -117.75         3.00         1.95          0.04
L12   1     661.94       204.89      -761.89       -446.56
L3   13     756.09        82.04        65.89         -4.96
L31  13     169.54        19.99        14.45         -2.41
L32  17     -44.90        13.12         8.66         -1.05
L33  22      69.08        33.33         6.18        -17.68
単レンズデータ
レンズ  始面  焦点距離
1       1    956.14
2       2    2240.70
3       4    360.80
4       6   -103.26
5       7    166.17
6       9    195.58
7      11   -117.75
8      14   -163.28
9      15     83.46
10      17     62.78
11      18    -42.43
12      20    -66.25
13      22    107.96
14      24    -99.89
15      25    105.21
16      27     52.45
17      28    -73.62
G      30      0.00
無限遠物体にフォーカシングしたときの第１レンズ群内の各レンズより後ろのβ
β２＝0.859016（面番号４〜３１までの横倍率）
β３＝2.470923（面番号６〜３１までの横倍率）
β４＝1.388665（面番号９〜３１までの横倍率）
第１レンズ群と第２レンズ群の合成焦点距離
f12=661.94
（数値実施例７）
f= 584.99mm  Fno= 4.12  ２ω=4.24
面データ
面番号       r        d      nd         vd       有効径
1(非球面)1425.908   12.50   1.48749    70.2      141.99
2        -307.397    0.50                        141.96
3         125.786   16.32   1.43387    95.1      134.77
4         342.857   90.92                        133.00
5         100.206    4.20   1.88300    40.8       77.18
6(回折)    48.006   12.00   1.49700    81.5       69.21
7          96.988   54.40                         67.77
8(非球面) 175.992    2.00   1.71700    47.9       53.97
9         112.893    7.71   1.51633    64.1       53.07
10        -161.456    3.03                         52.41
11        1190.004    3.00   1.57099    50.8       49.03
12          73.995   50.00                         46.43
13(絞り)     ∞      11.00                         34.46
14         132.310    2.00   1.83481    42.7       31.37
15          60.597    6.41   1.48749    70.2       30.61
16        -132.000    3.00                         29.94
17         102.546    4.67   1.75520    27.5       28.14
18         -91.025    1.70   1.69680    55.5       27.80
19          44.555    4.87                         27.10
20        -109.897    2.00   1.69680    55.5       27.49
21          96.936    4.00                         28.36
22          92.914    5.14   1.61340    44.3       31.01
23        -209.388    3.00                         31.76
24         -86.701    2.00   1.59282    68.6       32.35
25          59.799    8.53   1.61340    44.3       34.28
26         -93.175    0.30                         35.60
27          70.626    7.64   1.74950    35.3       36.74
28         -82.384    2.00   1.80809    22.8       36.46
29         144.949    5.00                         36.10
30           ∞       2.00   1.51633    64.1       36.40
31           ∞                                    36.50
非球面データ
第1面
K = 0.00000e+000  A 4=-2.29528e-008  A 6=-1.12849e-013  A 8= 1.90778e-017
A10=-1.33716e-021
第8面
K =-4.94625e-001  A 4= 1.34701e-007  A 6= 3.67659e-011  A 8= 6.29464e-015
A10= 1.93458e-018
第6面(回折面)
C 2=-3.96910e-005  C 4=-2.60235e-009  C 6= 2.32784e-013  C 8=-1.00827e-014
C10= 2.00981e-017  C12=-1.61122e-020  C14= 2.58520e-024  C16= 3.97268e-027
C18=-2.33111e-030  C20= 3.37125e-034
各種データ
ズーム比      1.00 
焦点距離     584.99  
Fナンバー      4.12  
画角           2.12  
像高          21.64  
レンズ全長   420.00  
BF            88.15  
入射瞳位置   1247.51  
射出瞳位置    -68.65  
前側主点位置 -349.94  
後側主点位置 -496.84  
レンズ群データ
群  始面    焦点距離  レンズ構成長  前側主点位置  後側主点位置
L1    1     234.78       200.55       144.56       -151.85
L1A   1     239.47        29.32         4.55        -15.53
L1B   5    -251.56        16.20        17.86          6.98
L1C   8     183.48         9.71         3.29         -3.02
L2   11    -138.32         3.00         2.04          0.13
L12   1     537.14       206.58      -464.80       -358.88
L3   13    4689.01        75.27       511.83        505.89
L31  13     233.91        19.41        14.22         -2.23
L32  17     -47.71        13.25         8.79         -1.12
L33  22      71.09        35.62         6.02        -18.98
単レンズデータ
レンズ  始面  焦点距離
1       1    519.97
2       3    447.73
3       5   -109.38
4       6    174.32
5       8   -445.04
6       9    129.92
7      11   -138.32
8      14   -135.65
9      15     86.13
10      17     64.52
11      18    -42.71
12      20    -73.62
13      22    105.60
14      24    -59.40
15      25     60.67
16      27     51.85
17      28    -64.75
G      30      0.00
無限遠物体にフォーカシングしたときの第１レンズ群内の各レンズより後ろのβ
β２＝1.125051（面番号３〜３１までの横倍率）
β３＝2.442828（面番号５〜３１までの横倍率）
β４＝1.324515（面番号８〜３１までの横倍率）
第１レンズ群と第２レンズ群の合成焦点距離
f12=537.14
（数値実施例８）
f= 585.00mm  Fno= 4.12  ２ω=4.24
面データ
面番号       r        d      nd         vd       有効径
1(非球面)570.363   17.50   1.48749    70.2      141.99
2       -223.144  101.84                        141.96
3        153.396   15.16   1.43387    95.1       98.74
4       -392.996   10.00                         96.94
5        101.100    4.20   1.88300    40.8       79.81
6(回折)   46.884   11.85   1.48749    70.2       70.07
7         77.130   35.26                         67.91
8(非球面)158.783    8.00   1.48749    70.2       57.67
9       -193.428    6.77                         56.54
10        594.556    3.00   1.72000    50.2       49.48
11         71.752   50.00                         46.57
12(絞り)    ∞      11.00                         32.79
13        154.358    2.00   1.88300    40.8       29.29
14         63.925    6.02   1.48749    70.2       28.57
15       -120.573    3.00                         27.87
16         95.547    4.20   1.75520    27.5       26.68
17        -77.601    1.70   1.72916    54.7       26.42
18         40.248    4.99                         25.76
19        -99.709    2.00   1.72916    54.7       26.31
20        131.126    4.00                         27.27
21         87.759    5.32   1.62588    35.7       30.27
22       -162.461    3.00                         31.06
23        -75.968    2.00   1.59282    68.6       31.62
24         39.954   10.01   1.61340    44.3       34.07
25        -88.338    0.30                         35.44
26         73.105    8.55   1.74950    35.3       36.54
27        -55.157    2.00   1.80809    22.8       36.28
28        155.904    5.00                         35.94
29          ∞       2.00   1.51633    64.1       36.28
30          ∞                                    36.40
非球面データ
第1面
K =-3.11334e+001  A 4=-5.87845e-008  A 6=-1.05457e-012  A 8= 1.00743e-016
A10=-3.78864e-021
第8面
K =-3.56990e+000  A 4= 4.44588e-007  A 6= 9.23332e-011  A 8=-2.52278e-014
A10= 2.36989e-017
第6面(回折面)
C 2=-4.28779e-005  C 4=-7.91727e-009  C 6= 6.91143e-012  C 8=-2.35760e-014
C10= 2.87129e-017  C12=-1.24028e-020  C14=-4.46710e-024  C16= 3.48824e-027
C18= 1.78080e-030  C20=-1.12866e-033
各種データ
ズーム比      1.00 
焦点距離     585.00  
Fナンバー      4.12  
画角           2.12  
像高          21.64  
レンズ全長   420.00  
BF            79.33  
入射瞳位置   1189.18  
射出瞳位置    -71.38  
前側主点位置 -496.57  
後側主点位置 -505.67  
レンズ群データ
群  始面    焦点距離  レンズ構成長  前側主点位置  後側主点位置
L1    1     197.21       203.81       137.15       -122.71
L1A   1     177.18       134.50        83.25        -65.49
L1B   5    -177.83        16.05        14.94          4.24
L1C   8     180.22         8.00         2.44         -2.98
L2   10    -113.61         3.00         1.99          0.24
L12   1     468.00       213.58      -404.45       -311.76
L3   12   -1309.25        77.09      -155.60       -247.96
L31  12     278.04        19.02        14.95         -1.21
L32  16     -44.18        12.89         7.92         -1.74
L33  21      67.91        38.18         6.31        -20.28
単レンズデータ
レンズ  始面  焦点距離
1       1    331.41
2       3    256.45
3       5   -103.64
4       6    213.17
5       8    180.22
6      10   -113.61
7      13   -124.87
8      14     86.62
9      16     57.30
10      17    -36.13
11      19    -77.40
12      21     91.79
13      23    -43.89
14      24     46.22
15      26     43.18
16      27    -50.21
G      29      0.00
無限遠物体にフォーカシングしたときの第１レンズ群内の各レンズより後ろのβ
β２＝1.765160（面番号３〜３０までの横倍率）
β３＝3.301811（面番号５〜３０までの横倍率）
β４＝1.691282（面番号８〜３０までの横倍率）
第１レンズ群と第２レンズ群の合成焦点距離
f12=468.00
（数値実施例９）
f= 488.99mm  Fno= 5.70  ２ω=5.06
面データ
面番号       r        d      nd         vd       有効径
1(非球面)1060.812    7.87   1.43387    95.1       85.79
2        -174.666    0.10                         85.78
3          70.309   11.38   1.43387    95.1       81.54
4         223.604   51.18                         80.41
5          91.679    3.70   1.80400    46.6       47.31
6          29.991    6.82   1.43387    95.1       41.85
7          59.574    2.00                         41.24
8          36.875    8.07   1.43387    95.1       40.70
9        -446.247    2.00                         40.00
10       -1295.347    2.50   1.60311    60.6       38.30
11          54.530   39.90                         35.87
12(絞り)     ∞      11.00                         25.81
13         167.281    3.33   1.51742    52.4       23.19
14         -64.161    1.00                         23.17
15          95.024    3.30   1.62588    35.7       22.58
16         -52.904    2.00   1.80610    33.3       22.25
17          52.977    4.29                         21.58
18         102.690    3.57   1.80518    25.4       21.76
19         -40.530    1.61   1.77250    49.6       21.66
20          48.970    2.16                         21.32
21        -312.560    1.50   1.88300    40.8       21.49
22          56.932    3.00                         21.88
23          53.955    4.54   1.66680    33.0       24.07
24         -90.740    7.61                         24.50
25         -45.334    2.00   1.59282    68.6       25.33
26          23.149    6.95   1.61340    44.3       27.80
27        -606.529    6.30                         28.37
28          75.876    8.81   1.65412    39.7       31.67
29         -30.138    1.80   1.80809    22.8       31.84
30        -182.472    2.50                         32.76
31           ∞       2.20   1.51633    64.1       33.25
32           ∞                                    33.47
非球面データ
第1面
K =-4.07013e+002  A 4=-6.54214e-008  A 6=-8.69411e-012  A 8= 1.87393e-015
A10=-4.20368e-019  A12= 5.23053e-023
各種データ
ズーム比      1.00 
焦点距離     488.99  
Fナンバー      5.70  
画角           2.53  
像高          21.64  
レンズ全長   280.00  
BF            65.01  
入射瞳位置   506.39  
射出瞳位置   -70.01  
前側主点位置-775.53  
後側主点位置-423.98  
レンズ群データ
群  始面    焦点距離  レンズ構成長  前側主点位置  後側主点位置
L1    1     121.55        91.13        26.22        -66.15
L1A   1     138.00        19.35         3.12        -10.26
L1B   5     -94.18        10.52         7.14          0.19
L1C   8      78.90         8.07         0.43         -5.23
L2   10     -86.70         2.50         1.50         -0.06
L12   1     302.90        95.63      -217.09       -173.61
L3   12    -198.94        79.46        13.68        -57.21
L31  12    5346.33        20.62      -380.94       -370.96
L32  18     -39.90         8.85         6.04          0.04
L33  23      63.19        42.70         6.25        -29.10
単レンズデータ
レンズ  始面  焦点距離
1       1    346.33
2       3    231.18
3       5    -56.96
4       6    130.12
5       8     78.90
6      10    -86.70
7      13     90.07
8      15     54.77
9      16    -32.56
10      18     36.50
11      19    -28.48
12      21    -54.44
13      23     51.39
14      25    -25.57
15      26     36.50
16      28     34.10
17      29    -44.91
G      31      0.00
無限遠物体にフォーカシングしたときの第１レンズ群内の各レンズより後ろのβ
β２＝1.411928（面番号３〜３２までの横倍率）
β３＝3.543524（面番号５〜３２までの横倍率）
β４＝0.931654（面番号８〜３２までの横倍率）
第１レンズ群と第２レンズ群の合成焦点距離
f12=302.90
（数値実施例１０）
f= 584.99mm  Fno= 4.12  ２ω=4.24
面データ
面番号          r        d      nd         vd       有効径
1(非球面)  1425.908   12.50   1.48749    70.2      141.99
2          -309.210    0.50                        141.96
3           124.343   16.80   1.43387    95.1      134.79
4           369.366   88.48                        133.16
5           100.180    4.20   1.88300    40.8       76.89
6(回折)      46.871   11.71   1.49700    81.5       68.63
7            94.112   55.55                         67.36
8           453.421    5.00   1.48749    70.2       54.27
9          -303.092    0.10                         53.63
10(非球面)-46082.357    5.00   1.48749    70.2       53.05
11          -169.963    3.00                         52.22
12           958.750    3.00   1.57099    50.8       48.94
13            72.538   50.00                         46.35
14(絞り)       ∞      11.00                         34.83
15           123.637    2.00   1.83481    42.7       31.84
16            60.357    6.46   1.48749    70.2       31.39
17          -138.474    3.00                         31.52
18            96.197    4.24   1.75520    27.5       31.21
19           -97.470    1.70   1.69680    55.5       30.91
20            43.008    5.91                         29.83
21          -105.633    2.00   1.69680    55.5       30.24
22           107.699    4.00                         31.21
23            90.998    5.25   1.61340    44.3       34.04
24          -211.886    3.00                         34.69
25           -88.893    2.00   1.59282    68.6       35.19
26            64.933    7.88   1.61340    44.3       37.21
27           -93.928    0.30                         38.16
28            69.168    7.63   1.74950    35.3       39.33
29           -87.609    2.00   1.80809    22.8       39.01
30           128.184    5.00                         38.40
31             ∞       2.00   1.51633    64.1       38.59
32             ∞                                    38.66
非球面データ
第1面
K = 0.00000e+000  A 4=-2.38242e-008  A 6=-1.07500e-013  A 8= 1.96345e-017
A10=-1.44101e-021
第10面
K =-5.83493e+006  A 4= 1.98187e-007  A 6= 7.15901e-011  A 8= 1.00934e-015
A10= 7.73846e-018
第6面(回折面)
C 2=-3.89607e-005  C 4=-2.55335e-009  C 6=-9.69247e-014  C 8=-9.17547e-015
C10= 1.98506e-017  C12=-1.61546e-020  C14= 2.56719e-024  C16= 3.97713e-027
C18=-2.30592e-030  C20= 3.23739e-034
各種データ
ズーム比      1.00 
焦点距離     584.99  
Fナンバー      4.12  
画角           2.12  
像高          21.64  
レンズ全長   420.00  
BF            88.78  
入射瞳位置   1251.01  
射出瞳位置    -68.05  
前側主点位置 -345.98  
後側主点位置 -496.21  
レンズ群データ
群  始面    焦点距離  レンズ構成長  前側主点位置  後側主点位置
L1    1     238.01       199.85       146.21       -154.17
L1A   1     232.89        29.80         4.82        -15.60
L1B   5    -231.15        15.91        16.65          6.02
L1C   8     181.87        10.10         4.53         -2.34
L2   12    -137.61         3.00         2.07          0.16
L12   1     556.74       205.85      -498.05       -372.32
L3   14    2630.44        75.37       261.46        222.26
L31  14     221.30        19.46        13.86         -2.63
L32  18     -48.31        13.85         9.10         -1.56
L33  23      71.92        35.06         5.14        -19.38
単レンズデータ
レンズ  始面  焦点距離
1       1    522.49
2       3    423.25
3       5   -104.41
4       6    171.18
5       8    373.45
6      10    349.93
7      12   -137.61
8      15   -143.32
9      16     87.15
10      18     64.72
11      19    -42.61
12      21    -76.24
13      23    104.47
14      25    -62.99
15      26     63.79
16      28     52.67
17      29    -64.13
G      31      0.00
無限遠物体にフォーカシングしたときの第１レンズ群内の各レンズより後ろのβ
β２＝1.119630（面番号３〜３２までの横倍率）
β３＝2.511903（面番号５〜３２までの横倍率）
β４＝1.293097（面番号８〜３２までの横倍率）
β５＝1.868973（面番号１０〜３２までの横倍率）
第１レンズ群と第２レンズ群の合成焦点距離
f12=556.74
【０１１６】
【表１】
0005822649.tif 000007
【０１１７】
次に、図１１を参照して、本実施形態の光学系を適用した撮像装置（カメラシステム）について説明する。図１１は、一眼レフカメラの概略構成図である。図１１において、１０は実施例１〜１０のいずれか１つの撮影光学系１（光学系）を備えた撮像レンズである。撮影光学系１は、保持部材である鏡筒２に保持されている。２０はカメラ本体である。カメラ本体２０は、撮像レンズ１０からの光束を上方に反射するクイックリターンミラー３、撮像レンズ１０の像形成位置に配置された焦点板４、および、焦点板４に形成された逆像を正立像に変換するペンタダハプリズム５を有する。またカメラ本体２０は、その正立像を観察するための接眼レンズ６等を備えている。
【０１１８】
７は感光面であり、ＣＣＤセンサやＣＭＯＳセンサ等の撮像素子（光電変換素子）や銀塩フィルムが感光面７に配置される。撮影時にはクイックリターンミラー３が光路から退避し、感光面７上に撮影レンズ１０によって像が形成される。なお、本実施形態の撮影光学系１はクイックリターンミラー３のない撮像装置にも適用可能である。このように、実施例１〜１０の撮影光学系１を写真用カメラや、ビデオカメラ、デジタルスチルカメラ等の撮像装置に適用することにより、製造容易な軽量で高い光学性能を有する撮像装置を実現できる。したがって上記各実施例によれば、製造容易で小型および軽量な撮影光学系および撮像装置を提供することができる。
【０１１９】
以上、本発明の好ましい実施形態について説明したが、本発明はこれらの実施形態に限定されず、その要旨の範囲内で種々の変形及び変更が可能である。
【符号の説明】
【０１２０】
Ｌ０  撮影光学系（光学系）
Ｌ１  第１レンズ群
Ｌ２  第２レンズ群  
Ｌ３  第３レンズ群
Ｌ１Ａ  第１部分レンズ群
Ｌ１Ｂ  第２部分レンズ群
Ｌ１Ｃ  第３部分レンズ群
【図１１】
0005822649.tif 000009
【図１２】
0005822649.tif 000010
【図１】
0005822649.tif 000011
【図２】
0005822649.tif 000012
【図３】
0005822649.tif 000013
【図４】
0005822649.tif 000014
【図５】
0005822649.tif 000015
【図６】
0005822649.tif 000016
【図７】
0005822649.tif 000017
【図８】
0005822649.tif 000018
【図９】
0005822649.tif 000019
【図１０】
0005822649.tif 000020